(57)【要約】【課題】無線通信環境におけるパケットルーティング【解決手段】請求される主題は、無線通信システムにおいてルーティングを行うことに関するものである。より詳細には、無線パケット交換ネットワークと関連づけられた各デバイスは、無線端末に関する特定のアタッチメントポイントのアイデンティティ及び／又はアドレスを知らない場合がある。特定のアタッチメントポイントに提供すべきデータパケットは、最初に、例えば無線端末又はワンホップマルチキャストアドレスに向けることができる。その後、前記データパケットは、フレームフォーマットでカプセル化することができ、前記特定のアタッチメントポイントのアイデンティティは、前記フレームで提供することができる。前記フレームは、その後、前記アタッチメントポイントにルーティングすることができる。【選択図】        図５
2009509468.tif 000002
【特許請求の範囲】
【請求項１】
セルラー通信環境においてデータパケットをルーティングするための方法であって、
データパケットを受信することと、
前記データパケットは、前記セルラー通信環境において無線端末に関する複数の利用可能なアタッチメントポイントのうちの特定のアタッチメントポイントに提供すべきであることを決定することであって、前記決定は、前記データパケットの内容に少なくとも部分的に基づいて行われることと、
前記データパケットを論理リンク制御（ＬＬＣ）フレーム内にカプセル化することと、
前記ＬＬＣフレームは前記特定のアタッチメントポイントの方に向けるべきであることを示すこと、とを具備する、方法。
【請求項２】
前記データパケットは前記特定のアタッチメントポイントに提供すべきであることを決定することは、前記データパケットを解析することと、前記データパケットはワンホップマルチキャストアドレスに向けられていることを決定すること、とを具備する請求項１に記載の方法。
【請求項３】
前記特定のアタッチメントポイントは、前記無線端末に関する前記複数のアタッチメントポイントにおける主アタッチメントポイントである請求項１に記載の方法。
【請求項４】
前記特定のアタッチメントポイントのアイデンティティの表示を前記ＬＬＣフレームのヘッダー内において提供することをさらに具備する請求項１に記載の方法。
【請求項５】
請求項１に記載の方法を行うように構成された無線端末。
【請求項６】
請求項２に記載の方法を行うように構成された無線端末。
【請求項７】
請求項３に記載の方法を行うように構成された無線端末。
【請求項８】
請求項４に記載の方法を行うように構成された無線端末。
【請求項９】
前記データパケットは、ホストデバイスによって生成される請求項１に記載の方法。
【請求項１０】
無線通信デバイスであって、
データパケットを受信するための手段であって、前記データパケットは、セルラーネットワークと関連づけられる手段と、
前記データパケットは無線端末に関する複数のアタッチメントポイントのうちの特定のアタッチメントポイントに提供すべきであることを確認することに関連して前記データパケットの内容を解析するための手段と、
前記データパケットをＬＬＣフレーム内にカプセル化するための手段と、を具備する、無線通信デバイス。
【請求項１１】
移動端末である請求項１０に記載の無線通信デバイス。
【請求項１２】
前記データパケットを解析し、前記データパケットはワンホップマルチキャストアドレスに向けられていることを決定するための手段をさらに具備する請求項１０に記載の無線通信デバイス。
【請求項１３】
プロセッサであって、
セルラー通信環境においてデータパケットを受信するための命令と、
前記データパケットは無線端末に関する複数の利用可能なアタッチメントポイントのうちの一定のアタッチメントポイントに提供すべきであることを決定するための命令であって、前記決定は、前記受信されたデータパケットの内容に少なくとも部分的に基づいて行われる命令と、
前記データパケットをＬＬＣフレーム内でカプセル化するための命令と、
前記ＬＬＣフレームは前記一定のアタッチメントポイントの方に向けるべきであることを示すための命令と、を実行するように構成されたプロセッサ。
【請求項１４】
前記データパケットはワンホップマルチキャストアドレスにアドレッシングされていることを決定するための命令と、
前記データパケットはワンホップマルチキャストアドレスにアドレッシングされていることの前記決定に基づいて前記一定のアタッチメントポイントの方に前記ＬＬＣフレームを向けるための命令と、を実行するようにさらに構成された請求項１３に記載のプロセッサ。
【請求項１５】
機械によって読み取り可能な媒体であって、
セルラーネットワークにおいてデータパケットを受信するための機械によって実行可能な命令と、
前記データパケットをＬＬＣフレーム内にカプセル化するための機械によって実行可能な命令と、
前記データパケットの内容を解析するための機械によって実行可能な命令と、
前記解析に少なくとも部分的に基づいて無線端末に関する複数の利用可能なアタッチメントポイントにおける主アタッチメントポイントを識別するための機械によって実行可能な命令と、を格納する機械によって読み取り可能な媒体。
【請求項１６】
請求項１５に記載の機械によって読み取り可能な媒体を具備する無線端末。
【請求項１７】
前記データパケットを解析し、前記データパケットはワンホップマルチキャストアドレスに向けられていることを決定するためのさらなる命令を格納する請求項１５に記載の機械によって読み取り可能な媒体。
【請求項１８】
無線通信装置であって、
受信されたデータパケットをＬＬＣフレーム内にカプセル化するための命令であって、前記受信されたデータパケットは、セルラー通信ネットワークと関連づけられている命令と、
前記データパケットが転送されるべき特定のアタッチメントポイントを前記パケット内において識別するための命令であって、特定のアタッチメントポイントは、無線端末と関連づけられた複数のアタッチメントポイントにおいて識別され、前記識別は、前記データパケットの内容に少なくとも部分的に基づく命令と、を保持するメモリと、
前記命令を実行するプロセッサと、を具備する、無線通信装置。
【請求項１９】
無線通信環境においてパケットをルーティングするための方法であって、
アクセスノード以外のノードにアドレッシングされたデータパケットを前記アクセスノードにおいて受信することと、
前記データパケットを解析することによって前記データパケットは前記アクセスノード向けであることを決定することと、
前記データパケットの内容に少なくとも部分的に基づいて前記アクセスノードにおいて命令を実行すること、とを具備する、方法。
【請求項２０】
前記データパケットの内容に従って前記無線端末にサービス品質（ＱｏＳ）サポートを提供することをさらに具備する請求項１９に記載の方法。
【請求項２１】
前記受信されたデータパケットは、ネットワークインフラストラクチャデバイスから発生する請求項１９に記載の方法。
【請求項２２】
前記受信されたデータパケットは、無線端末を通じてパケットを送信するノードから発生する請求項１９に記載の方法。
【請求項２３】
通信デバイスであつて、
データパケットを受信するための手段と、
前記データパケットは受信エンティティでないネットワークエンティティにアドレッシングされていることを決定するための手段と、
前記データパケットは前記受信エンティティ向けであることを決定するための手段と、
前記受信されたデータパケットの内容に少なくとも部分的に基づいて前記受信エンティティにおいて命令を実行するための手段と、を具備する、通信デバイス。
【請求項２４】
基地局である請求項２３に記載の通信デバイス。
【請求項２５】
前記受信エンティティは、基地局である請求項２３に記載の通信デバイス。
【請求項２６】
プロセッサであって、
受信されたデータパケットは、第１のネットワークエンティティにアドレッシングされていることを決定するための命令と、
前記受信されたデータパケットは、第２のネットワークエンティティ向けであることを決定するための命令と、
前記第２のネットワークエンティティにおいて前記受信されたデータパケットの内容に少なくとも部分的に基づいて命令を実行するための命令と、を実行するように構成された、プロセッサ。
【請求項２７】
前記データパケットをネットワークインフラストラクチャデバイスから受信するための命令を実行するようにさらに構成された請求項２６に記載のプロセッサ。
【請求項２８】
機械によって読み取り可能な媒体であって、
無線端末にアドレッシングされているデータパケットをアクセスノードにおいて受信するための機械によって実行可能な命令と、
前記データパケットを解析することによって前記データパケットは前記アクセスノード向けであることを決定するための機械によって実行可能な命令と、
前記データパケットの内容に少なくとも部分的に基づいて前記アクセスノードにおいて命令を実行するための機械によって実行可能な命令と、を格納する、機械によって読み取り可能な媒体。
【請求項２９】
通信装置であって、
異なる無線通信ネットワークエンティティ向けであるデータパケットをインターセプトするための命令を保持するメモリと、
前記命令を実行するプロセッサと、を具備する、通信装置。
【発明の詳細な説明】
【技術分野】
【０００１】
関連出願の相互参照
本特許出願は、“METHODS AND APPARATUS FOR THE UTILIZATION OF MOBILE NODES FOR STATE TRASNFER AS PART OF A HANDOFF OPERATION”（ハンドオフ動作の一環としてモバイルノードを状態転送に関して利用するための方法及び装置）という題名を有する米国仮特許出願一連番号 ６０／７１８，３６３(出願日:  ２００５年９月１９日)、及び、“A METHOD AND APPARATUS FOR MOBILITY AWARE RESOURCE CONTROL”（移動性認識資源管理に関する方法及び装置）（Ｐａｒｋ）という題名を有する米国仮特許出願一連番号 ６０／７９６，６５３(出願日:  ２００６年５月１日)に対する優先権を主張するものである。
【０００２】
本発明は、一般的には、通信システムに関するものである。本発明は、特に、端末と関連づけられた１つ以上のトラフィックフローに関する向上されたサービス品質を提供することに関するものである。
【背景技術】
【０００３】
無線通信ネットワーク、広帯域ネットワーク、及びその他の適切なネットワーク等の通信ネットワークがデータ転送に関して利用されており、データは、ワープロファイル、ストリーミング映像、マルチメディアファイル、音声データ、及び／又はその他の同種のものを含むことができる。適切なサービス品質（ＱｏＳ）を一定の加入者に提供することは、１つ以上のネットワークリンクと関連づけられた資源を最適化することに加えて顧客の満足を保持する上で重要になる可能性がある。しかしながら、無線ネットワークにおいては、異なるアクセスノード（例えば、基地局、アクセスルーター、又はアクセスポイント）間を移動中のユニットと関連してＱｏＳサポートを考慮しなければならないため、適切なＱｏＳを提供することが困難になる可能性がある。従って、適切なＱｏＳ処理を無線端末に提供することは重要なことである。
【０００４】
典型的無線通信ネットワークにおいては、一組の地理的に分散されたアクセスノード（例えば、基地局）は、複数のエンドノード（例えば、無線端末）に関する通信インフラストラクチャへの無線アクセスを提供する。セルラーネットワークシステムは、伝統的に主に回線交換技術に基づいているが、様々な新興のセルラーネットワークシステムは、パケット交換技術（例えば、インターネットプロトコル（ＩＰ）スイート）により大きく基づいている。該ネットワークにおいては、様々な異なるアプリケーション（例えば、テレフォニー、テキストメッセージ送信、ストリーミング音声／映像、ウェブブラウジング、ファイル転送等）を有効にサポートするために柔軟なＱｏＳ差別化メカニズムが要求される。固定された、ハードワイヤ接続された、パケット交換ネットワークインフラストラクチャ用に主に設計されたＱｏＳメカニズムは、セルラーネットワークにおいて使用するのにはそれほど適していない。特に、加入者アクセスデバイスの移動性、無線アクセスリンクが制約を受ける可能性がある性質を有すること、ネットワークアーキテクチャにおける相違点等の側面は、無線パケット交換ネットワークにおける既存の資源管理プロトコルの使用を妨げる又は排除する。
【０００５】
特定の加入者に関するＱｏＳサポートを要求することに関連して、従来のネットワークは、該要求に関して集中型エンティティ又は加入者を利用する。例えば、加入者が一定のＱｏＳサポートを必要とする場合は、該加入者は、ＱｏＳサポートのプロバイダから該サポートを要求する。ＱｏＳサポートを要求及び受信するためのこれらの従来の方法は、柔軟性がなくさらに非効率的である。
【発明の開示】
【発明の概要】
【０００６】
以下は、請求される主題の一部の側面について基本的に理解できるようにするために単純化された要約を示すものである。この要約は、請求される主題を広範囲にわたって網羅したものではなく、さらに、請求される主題の主要な／極めて重要な要素を特定すること及び適用範囲を詳細に説明することのいずれも意図されていない。本要約の唯一の目的は、後述される発明を実施するための最良の形態の準備段階として、幾つかの概念を単純化された形で提示することである。
【０００７】
請求される主題は、無線通信環境におけるパケットのルーティングに関するものである。例えば、データパケットを受信することができ、前記データパケットは、無線端末に関する複数のアタッチメントポイントのうちの特定のアタッチメントポイントに提供すべきである。前記パケットの生成者は、前記特定のアタッチメントポイントのアイデンティティ又はアドレスを知らない場合があるが、個別のエンティティ又はアドレス、例えば、ワンホップマルチキャストアドレス、ホームエージェント、及び／又はその他の同種のもの、に前記データパケットを適宜向けることができる。前記データパケットは、例えば、無線端末又はホームエージェントによってＬＬＣフレーム内にカプセル化することができ、前記フレーム内には、前記特定のアタッチメントポイントのアイデンティティを含めることができる。
【０００８】
例えば、関連づけられた端末は、（可能なことに異なるアクセスノードへの）複数のリンクを知っていることができる場合でも、ホストデバイスは、ネットワークへの単一のインタフェース（又はリンク）しか知らない場合がある。このような場合は、前記ホストによって送信されるパケットは、（ホストの観点から）特定のインタフェースに向けることができるが、複数のアクセスノードのうちの特定のアクセスノードに向けることが有益になる。具体例においては、ホストの観点から第１のホップルーター向けパケット（例えば、ワンホップＩＰマルチキャストアドレスに送信されるパケット）は、前記特定のリンク又は前記特定のアクセスノード（基地局）に向けることができる。
【０００９】
一側面により、セルラー通信環境においてデータパケットをルーティングするための方法は、データパケットを受信することと、前記セルラー通信環境における無線端末に関する複数の利用可能なアタッチメントポイントのうちの特定のアタッチメントポイントに前記データパケットを提供すべきであることを決定すること、とを具備することができる。例えば、前記決定は、前記データパケットの内容に少なくとも部分的に基づいて行うことができる。前記方法は、前記データパケットをＬＬＣフレーム内にカプセル化することと、前記ＬＬＣフレームは特定のアタッチメントポイントの方に向けるべきであることを示すこと、とをさらに具備することができる。さらに、本明細書において説明される無線通信デバイスは、データパケットを受信するための手段を具備することができ、前記データパケットは、セルラーネットワークと関連づけられる。前記無線通信デバイスは、前記データパ
ケットは無線端末に関する複数のアタッチメントポイントのうちの特定のアタッチメントポイントに提供すべきであることを確認することに関連して前記データパケットの内容を解析するための手段と、前記データパケットをＬＬＣフレーム内にカプセル化するための手段と、を含むこともできる。
【００１０】
他の側面により、プロセッサは、セルラー通信環境においてデータパケットを受信し、前記データパケットを無線端末に関する複数の利用可能なアタッチメントポイントのうちの一定のアタッチメントポイントに提供すべきであることを決定するための命令を実行するように構成することができ、前記決定は、前記受信されたデータパケットの内容に少なくとも部分的に基づいて行われる。前記プロセッサは、前記データパケットをＬＬＣフレーム内にカプセル化し、前記ＬＬＣフレームは前記一定のアタッチメントポイントの方に向けるべきであることを示すための命令を実行するようにさらに構成することができる。さらに、機械によって読み取り可能な媒体が以下において開示され、前記機械によって読み取り可能な媒体は、セルラーネットワークにおいてデータパケットを受信し、前記データパケットをＬＬＣフレーム内にカプセル化し、前記データパケットの内容を解析するために格納された機械によって実行可能な命令を有することができる。前記機械によって実行可能な命令は、無線端末に関する複数のアタッチメントポイントにおける主アタッチメントポイントを識別することをさらに含むことができ、前記識別は、前記解析に少なくとも部分的に基づく。
【００１１】
さらに他の側面により、無線通信装置は、受信されたデータパケットをＬＬＣフレーム内にカプセル化するための命令を保持するメモリを具備することができ、前記受信されたデータパケットは、セルラー通信ネットワークと関連づけられる。前記メモリは、前記データパケットが転送されるべき特定のアタッチメントポイントを前記パケット内において識別するためのさらなる命令を保持することができ、前記特定のアタッチメントポイントは、無線端末と関連づけられた複数のアタッチメントポイントの中から識別され、前記識別は、前記データパケットの内容に少なくとも部分的に基づく。前記無線通信装置は、前記命令を実行するプロセッサを含むこともできる。
【００１２】
さらに他の側面により、無線通信環境においてパケットをルーティングするための方法は、アクセスノード以外のノードにアドレッシングされているデータパケットを前記アクセスノードにおいて受信することと、前記データパケットを解析することによって前記データパケットは前記アクセスノード向けであることを決定することと、前記データパケットの内容に少なくとも部分的に基づいて前記アクセスノードにおいて命令を実行すること、とを具備することができる。さらに、本明細書においては、通信デバイスが説明され、前記通信デバイスは、データパケットを受信するための手段と、前記データパケットは受信エンティティでないネットワークエンティティにアドレッシングされていることを決定するための手段と、前記受信されたデータパケットの内容に少なくとも部分的に基づいて前記受信エンティティにおいて命令を実行するための手段と、を具備することができる。
【００１３】
さらに他の側面により、プロセッサは、受信されたデータパケットは第１のネットワークエンティティにアドレッシングされていることを決定し、前記受信されたデータパケットは第２のネットワークエンティティ向けであることを決定し、前記第２のネットワークエンティティにおいて前記受信されたデータパケットの内容に少なくとも部分的に基づいて命令を実行するための命令を実行するように構成することができる。さらに、機械によって読み取り可能な媒体は、無線端末にアドレッシングされたデータパケットをアクセスノードにおいて受信し、前記データパケットを解析することによって前記データパケットは前記アクセスノード向けであることを決定し、前記データパケットの内容に少なくとも部分的に基づいて前記アクセスノードにおいて命令を実行するための機械によって実行可能な命令を格納することができる。
【００１４】
さらに他の側面においては、通信装置は、異なる無線通信ネットワークエンティティ向けであるデータパケットをインターセプトするための命令を保持するメモリを具備することができる。前記通信装置は、前記命令を実行するプロセッサを含むこともできる。
【００１５】
本明細書においては、上記の目的及び関連する目的を完遂させる場合における一定の例示的側面が、以下の説明及び添付図面と関連して説明される。しかしながら、これらの側面は、請求される主題の原理を採用することができる様々な方法のうちのほんのわずかを示しており、前記請求される主題は、これらのすべての側面及びその同等の側面を含むことが意図されている。以下の発明を実施するための最良の形態と図面を併用することでその他の利点及び斬新な特長が明確になるであろう。
【発明を実施するための最良の形態】
【００１６】
次に、請求される主題が図面を参照しつつ説明され、同一のものについては図面全体に渡って同一の参照符号を付すこととする。以下の説明では、説明の目的上、請求される主題について徹底的に理解できるようにするために数多くの具体的な詳細が示される。しかしながら、該主題は、これらの具体的な詳細なしで実践できることが明確であろう。その他の事例においては、請求される主題に関する説明を容易にするためによく知られた構造及びデバイスがブロック図形で示される。
【００１７】
さらに、本明細書においては、様々な側面が端末と関連して説明される。端末は、システム、ユーザーデバイス、加入者ユニット、加入者局、移動局、モバイルデバイス、遠隔局、遠隔端末、アクセス端末、ユーザー端末、ユーザーエージェント、又はユーザー装置と呼ぶこともできる。ユーザーデバイスは、携帯電話、コードレスフォン、セッション開始プロトコル（ＳＩＰ）フォン、ワイヤレスローカルループ（ＷＬＬ）局、ＰＤＡ、無線接続能力を有するハンドヘルドデバイス、端末内のモジュール、又は無線モデムに接続されたその他の処理デバイスであることができる。
【００１８】
さらに、請求される主題の側面は、請求される主題の様々な側面を実装するためにコンピュータ又は計算コンポーネントを制御するためのソフトウェア、ファームウェア、ハードウェア、又はその組合せを生産するために標準的なプログラミング及び／又はエンジニアリング技術を用いる方法、装置、又は製造品として実装することができる。本明細書において用いられる表現“製造品”は、あらゆるコンピュータによって読み取り可能なデバイス、キャリア、又は媒体からアクセス可能なコンピュータプログラムを包含することが意図されている。例えば、コンピュータによって読み取り可能な媒体は、限定することなしに、磁気記憶デバイス（例えば、ハードディスク、フロッピー（登録商標）ディスク、磁気ストリップ等）、光学ディスク（例えば、コンパクトディスク（ＣＤ）、デジタルバーサタイルディスク（ＤＶＤ）等）、スマートカード、及びフラッシュメモリデバイス（例えば、カード、スティック、キードライブ等）を含むことができる。さらに、音声メールを送信及び受信する際に又はネットワーク、例えば、セルラーネットワーク、にアクセスする際に用いられるようなコンピュータによって読み取り可能な電子データを搬送するために搬送波を採用できることが評価されるべきである。当然のことであるが、当業者は、本明細書において説明される事柄の適用範囲又は精神を逸脱せずにこの構成に対して数多くの変更を行うことが可能であることを認識するであろう。
【００１９】
次に図１に関して、加入者への適切なＱｏＳ処理の提供を容易にするシステム１００が示される。本明細書において用いられる“加入者”という表現は、例えば、個人、課金可能なエンティティ、及び／又は通信装置を包含することが意図される。システム１００は、ネットワークエンティティ、例えば、アプリケーションサーバー、が加入者の代わりにＱｏＳサポート／管理を要求するのを可能にし、加入者と関連づけられたホストがＱｏＳサポート及び／又は管理を要求するのをさらに可能にする。従って、ＱｏＳサポート及び／又は管理の要求は、ネットワークへのアクセスを要求中のネットワークインフラストラクチャ又はホストから発生させることができる。システム１００は、通信可能な形で結合される加入者１０４にＱｏＳサポートを提供することができるプロバイダ１０２を含む。プロバイダ１０２及び加入者１０４は、リンクを通じて通信することができ、該リンクは、無線リンク、有線リンク、及び／又はその組合せであることができる（例えば、ＷｉＦｉによってルーターと通信するモバイルデバイスであり、該ルーターがプロバイダと通信する）。
【００２０】
一例においては、加入者１０４は、ネットワークの一定のサービスの申し込みと関連する個人であることができる。異なる実施形態においては、加入者１０４は、モバイルハンドセット、ルーターに結合された電話等であることができる。例えば、プロバイダ１０２は、基地局、ルーター、モデム、又は加入者１０４にデータ（メッセージ、パケット等）を提供するために採用されるその他のネットワークデバイスであることができる。一例においては、プロバイダ１０２及び加入者１０４は、ＦＬＡＳＨ  ＯＦＤＭを通じて通信することができる。しかしながら、あらゆる適切なデータ送信プロトコルが発明者によって企図されており、本明細書に添付された請求項の適用範囲内に入ることが意図されることが理解される。
【００２１】
システム１００は、第１のネットワークエンティティ１０６を含むこともでき、第１のネットワークエンティティ１０６は、例えば、一定のアプリケーション、又はアプリケーションサービスをプロバイダ１０２を通じて加入者１０４に提供することができるアプリケーションサーバーであることができる。例えば、第１のネットワークエンティティ１０６は、プロバイダ１０２を通じて一定のゲームデータを加入者１０４に提供するために利用されるゲームサーバーであることができる。システム１００は、第２のエンティティ１０８を含むこともできる。例えば、第２のネットワークエンティティ１０８は、音声及び／又は映像コンテンツへのアクセスを加入者１０４に提供するストリーミングメディアサーバーであることができる。しかしながら、第１及び第２のエンティティ１０６及び１０８は、ネットワーク内に常駐するあらゆる適切なエンティティであることができる。
【００２２】
一例により、第１のネットワークエンティティ１０６は、ＱｏＳ資源要求をプロバイダ１０２に送信することができ、該要求は、加入者１０４に関するＱｏＳに関連する。換言すると、第１のネットワークエンティティ１０６は、加入者１０４の代わりにＱｏＳ資源要求を行うことができる。プロバイダ１０２は、その後に、例えば、加入者１０４が要求内において示されるＱｏＳパラメータに関して権限を付与されているかどうかを決定することができる。プロバイダ１０２は、例えば、第１のネットワークエンティティ１０６が加入者１０４の代わりに特定のＱｏＳ資源要求を行う権限が付与されているかどうかをさらに決定することができる。権限検査に合格した場合は、プロバイダ１０２は、加入者１０４に引き渡されるトラフィックフローに適切なＱｏＳを提供するために採用することができる（トラフィックフローは、パケットヘッダー内において示される関連するデータパケットであると定義することができる）。
【００２３】
第２のネットワークエンティティ１０８は、特定のＱｏＳ資源に関する要求を加入者１０２の代わりにプロバイダ１０２にさらに送信することができる。例えば、第２のネットワークエンティティ１０８は、プロバイダ１０２を通じて加入者１０４にデータを提供するために採用することができ、該データは、特定のＱｏＳパラメータ（例えば、レーテンシー、最低データ速度、最高データ速度等）と関連づけるべきである。従って、プロバイダ１０２は、加入者の代わりに別個のネットワークエンティティから要求を受け取ることができる。例えば、該要求は、実質的に同様の時点で（例えば、ユーザーが音声呼を行っているとき及びインターネットからデータをダウンロード中であるときに）受信して対処することができる。さらに、示されていないが、加入者１０４は、プロバイダ１０２に要求を引き渡すことによって加入者１０４の代わりにＱｏＳサポートを要求する及び／又はＱｏＳ管理を引き受けるホストと関連づけることができる。該要求は、（例えば、第１及び／又は第２のエンティティ１０６及び１０８からの）その他の要求と実質的に同様の時点で提供すること及び／又は対処することができる。
【００２４】
ＱｏＳサポートを要求する上での上記の柔軟性は、１つ以上のプロトコルを通じて可能にすることができる。例えば、加入者１０４と関連づけられたホストによって用いられるのと実質的に同様のプロトコルを第１及び第２のネットワークエンティティ１０６及び１０８によって利用することができる。プロトコルは、ネットワーク周辺のホストと同様に内部のネットワークエンティティによって利用すること（及びプロバイダ１０２によって理解すること）ができるメッセージフォーマットを含むことができる。採用可能な一プロトコル例は、例えば、加入者１０４がネットワーク内におけるアタッチメントポイントを変更する等の加入者の移動性に対処するように設計されているＭＡＲＣプロトコルである。ＭＡＲＣプロトコルは、例えば、パケット交換モバイル環境における加入者の移動性を容易にする様々なメッセージ送信フォーマットを定義する。各メッセージ／要求は、可変数の型付きオブジェクトによって後続される共通のメッセージヘッダーを含むことができ、型付きオブジェクトの存在、順序、及び数は、（メッセージヘッダーにおいて識別された）メッセージ型に少なくとも部分的に基づく。各型付きオブジェクトは、可変数のオブジェクト専用フィールドによって後続される共通のオブジェクトヘッダーを含むことができる。様々なメッセージ型を利用することができ、加入者１０４への及び／又はからのトラフィックフローに関する特定のＱｏＳ処理を要求することに関してプロバイダ１０２に送信されるものの一例である追加要求メッセージを含む。さらに、修正要求メッセージは、加入者と関連づけられた１つ以上のトラフィックフローに関する既存のＱｏＳ処理を修正することに関連することができ、削除要求メッセージは、既存のＱｏＳ処理を削除することに関連することができる。ＱｏＳ処理は、一定のサービスの対象となるデータパケットを識別するためのフィルタルールと同様に特定のサービスを含む。システム１００と関連して利用することができるプロトコルによる追加要求の一例が以下に示される。
【数１】
2009509468.tif 000003
【００２５】
この例においては、“ＩＮＴＥＧＲＩＴＹ”オブジェクトは、追加要求の完全性を保証するのを容易にするオブジェクトである。“ＩＮＴＥＧＲＩＴＹ”オブジェクトは、タイムスタンプと、メッセージの完全性の妥当性検査に関するセキュリティ属性を識別するインデックスと、メッセージの完全性の妥当性検査を可能にすることができる完全性検査値と、を含むことができる。“ＲＥＱ＿ＩＤ”オブジェクトは、要求者識別子であり、要求者のＩＰアドレスを含むことができる。“ＰＲＯＶ＿ＩＤ”オブジェクトは、プロバイダ識別子であり、プロバイダのＩＰアドレスを含むことができる。“ＳＵＢ＿ＩＤ”オブジェクトは、加入者識別子オブジェクトであり、加入者のＩＰアドレスを含むことができる。ＳＳ＿ＩＤオブジェクトは、加入者サービス識別子オブジェクトであり、幾つかの加入者サービスのうちの１つを識別することができる。“Ａｄｄｉｔｉｏｎ（ｓ）”フィールドは、要求者によって要求される特定のサービス又はフィルタルールに関するものである。例えば、上記の追加メッセージは、フィルタルール及びサービスクラスインスタンスが望ましくは追加され、該フィルタルール及びサービスクラスインスタンスは、“ＳＣＩ  Ｏｂｊｅｃｔ”（サービスクラスオブジェクト）及び“ＦＲ  Ｏｂｊｅｃｔ”（フィルタルールオブジェクト）を使用して追加メッセージ内に特に備えることができること記述することができる。“ＳＣＩ  Ｏｂｊｅｃｔ”は、サービスクラス識別子と、リフレッシュがない場合にプロバイダによってサービスクラスが維持されるべき時間量と、を含むことができる。“ＦＲ  Ｏｂｊｅｃｔ”は、特定のフィルタルールの識別子と、該ルールと関連づけられる優先度と、様々なマッチ基準と、を含むことができる。
【００２６】
次に図２に関して、加入者に代わるＱｏＳ資源の要求及び／又はＱｏＳ管理要求が複数の別々のエンティティから行われるのを可能にする柔軟なシステム２００が示される。システム２００は、プロバイダ１０２を含み、プロバイダ１０２は、上述されるように、無線通信環境における基地局であることができる。さらに、プロバイダ１０２は、無線ネットワーク又は有線ネットワーク内におけるルーター、モデム、又はその他の適切なアクセスノードであることができる。システム２００は、ＱｏＳ資源要求を生成して該要求をプロバイダ１０２に送信するネットワークエンティティ２０２、例えば、アプリケーションサーバー、を含むこともでき、前記要求は、加入者２０４に関係する。システム例２００においては、加入者２０４は、ホスト２０６とともに及び／又はホスト２０６の背後においてカプセル化され、ホスト２０６は、プロバイダ１０２を通じてネットワークとインタフェースする。例えば、加入者２０４は、ＰＣＭＣＩＡカード又はその他の適切なカード、コンピュータに結合された通信デバイス、又はその他のあらゆる適切なデバイスであることができ、ホスト２０６は、コンピュータ、携帯電話、パーソナルデジタルアシスタント等であることができる。
【００２７】
ホスト２０６は、ネットワークエンティティ２０２と同様に、ＱｏＳ資源及び／又はＱｏＳ管理の要求を生成し、該要求をプロバイダ１０２に提供することができる。従って、異なる論理エンティティが、ＱｏＳに関して加入者２０４の代わりに要求を生成することができる。さらに、該エンティティ（例えば、ネットワークエンティティ２０２及びホスト２０６）は、ネットワークに関して異なる部分に常駐することができる。換言すると、ネットワークエンティティ２０２は、ネットワークインフラストラクチャ内に常駐することができ、ホスト２０６は、ネットワークへの／からのアクセスリンクの“加入者側”に常駐することができる。上述されるように、ホスト２０６は、例えば、無線リンクを通じてプロバイダ１０２と通信することができる。さらに、ＱｏＳ要求をプロバイダ１０２に提供するためにホスト２０６によって利用されるプロトコルは、ネットワークエンティティ２０２によって要求を中継するために利用されるプロトコルと実質的に同様であることができる。異なる状況においては、異なるエンティティが加入者２０４に関するＱｏＳサポートを要求するのを可能にすることが望ましく、加入者２０４に代わるＱｏＳサポート／管理の要求は、１つ以上のネットワークエンティティ及び／又はホストから開始することができるため、システム２００は、該柔軟性を提供する。
【００２８】
次に図３に関して、ＱｏＳ資源の要求及び提供を例示するシステム例３００が示される。システム３００は、ネットワークサービスを加入者３０４に提供することに関連して利用される基地局３０２を含む。無線環境においては、地理上のカバレッジ地域を１つ以上の無線通信デバイスに提供するために１つ以上の基地局が利用される。典型的には、基地局は、広い連続的な地理上の地域が無線ネットワークによって網羅されるように配置される。基地局３０２は、例えば、基地局３０２が加入者３０４にデータを提供し、加入者３０４からデータを受信することを可能するための送信機及び受信機を含む。基地局３０２は、ネットワークへのアクセスノードとして行動する。加入者３０４は、ホストデバイス３０６と関連づけられ、ホストデバイス３０６は、モバイルデバイス、パーソナルコンピュータ、又はその他の適切なホストデバイスであることができる。
【００２９】
システム３００は、例えば加入者３０４の申し込みと関連づけられた場合に一定のサービスを加入者３０４に提供することに関連して利用することができる複数のアプリケーションサーバー３０８乃至３１２をさらに含む。一詳細例においては、アプリケーションサーバー３０８は、ゲーム用サーバーであることができ、それによって１つ以上のビデオゲームに関連するデータを加入者３０４に提供することができる。アプリケーションサーバー３１０は、音声呼と関連づけることができ、アプリケーションサーバー３１２は、例えば、ウェブサーバーであることができる。ネットワーク資源を浪費せずにアプリケーションサーバー３０８乃至３１２を通じてデータの受け取り及び／又は引き渡しを最適化するために、基地局３０２と加入者３０４との間で提供されるデータに関連するＱｏＳパラメータは、厳しく制御すべきである。しかしながら、（アプリケーションサーバー３０８乃至３１２によって提供される）異なるアプリケーションは、異なるＱｏＳパラメータと関連づけるべきである。例えば、音声データは、実質的な量の帯域幅を必要としないが、レーテンシーは低くすべきである。他の例においては、ゲームデータは、ゲームの適切なプレイを可能にするために並行して動作している３つのトラフィックフローを利用することができる。さらに他の例においては、ファイルをダウンロードすることは、低いレーテンシーを要求しないが、タイムリーな形でファイルを受け取るための十分な帯域幅を必要とする場合がある。従って、アプリケーションサーバー３０８乃至３１２の各々は、基地局３０２と加入者３０４との間に存在すべき特定のＱｏＳパラメータに関連する要求を提供することができる。基地局３０２は、その後に、基地局３０２と加入者３０４との間で交換されるトラフィックフローに要求されるＱｏＳ処理を提供するために採用することができる（加入者３０４が該サービス及び／又はＱｏＳに関する権限が付与されている場合）。
【００３０】
さらに、ホスト３０６は、加入者３０４の現在の状態を考慮して、加入者３０４が１つ以上のデータフローに関して適切なＱｏＳ処理を受信中でないことを検出することができる。追加で又は代替で、加入者３０４は、データフローの不正確な処理を検出すること及び１つ以上のデータフローに関するＱｏＳ処理を更新すべきであることの表示をホスト３０６に提供することができる。ホスト３０６は、該要求を生成することができ、次に基地局３０２に要求を中継することに関連して利用することができる。他の例においては、ホスト３０６は、ホスト３０６上で実行中のアプリケーションの要求に基づいてＱｏＳ要求を生成することができる。このような場合は、ホスト３０６上で実行中のアプリケーションは、アプリケーションプログラミングインタフェース（ＡＰＩ）を通じて要求を送信することができる。
【００３１】
基地局３０２は、その後に、要求の内容に従って適切なＱｏＳ処理を加入者３０４に提供することができる。従って、認識することができるように、複数のネットワークエンティティ及び／又はホストは、加入者の代わりにＱｏＳサポート及び／又は管理を要求することができ、基地局３０２は、該要求を受信すること及び対処することができる。例えば、基地局３０２は、同時に要求に対処する（例えば、幾つかのエンティティからの複数の要求に基づいて複数のトラフィックフローに適切なＱｏＳ処理を提供する）ことができる。
【００３２】
図４−５に関して、ネットワーク環境における通信に関連する方法が示される。説明を単純化する目的上、これらの方法は、一連の行為として示されて説明されている一方で、幾つかの行為は、１つ以上の実施形態により、本明細書において示されて説明されているのとは異なる順序で及び／又はその他の行為と同時並行して生じることができるため、これらの方法は行為の順序によって制限されないことが理解及び評価されるべきである。方法は、代わりに例えば状態図内におけるように一連の相関状態又はイベントとして表すことが可能であることを当業者は理解及び評価するであろう。さらに加えて、請求される主題により方法を実装するためにすべての例示されている行為が利用されるわけではない。
【００３３】
特に図４に関して、複数のエンティティによって行われた１つ以上の要求に基づいて加入者に関するＱｏＳを提供するための方法４００が示される。方法４００は、４０２において開始し、４０４において、第１の要求が第１の要求者から受信され、第１の要求は、加入者に関するＱｏＳに関係する。例えば、第１の要求者は、ネットワークインフラストラクチャ内のエンティティ、例えば、アプリケーションサーバー、であることができる。他の例においては、第１の要求者は、加入者、ホスト、他のアプリケーションサーバー、又はその他の適切なネットワークエンティティであることができる。ＱｏＳ要求は、上記の加入者への及び／又はからの１つ以上のトラフィックフローに関連することができる。４０６において、第２の要求が、加入者に関するＱｏＳに関連する第２の要求者から受信され、要求は、該加入者の代わりに生成される。この場合も、要求者は、アプリケーションサーバー又はネットワークインフラストラクチャ内のその他の適切なエンティティであることができ、又は加入者側デバイス、例えば、パソコン、モバイルハンドセット等、であることができる。一例においては、第１の要求者によって提供された要求及び第２の要求者によって提供された要求は、実質的に同様のプロトコル（例えば、ＭＡＲＣ）と関連づけることができる。
【００３４】
４０８において、第１及び第２の要求に少なくとも部分的に基づいて加入者に関するＱｏＳが提供される。例えば、第１及び第２の要求は、プロバイダ、例えば、基地局、に引き渡すことができる。プロバイダは、要求内において定義されたＱｏＳパラメータを（該パラメータが厳密に定義されているか又は相対的であるかにかかわらず）加入者に提供することができる。次に、方法４００は、４１０において完了する。
【００３５】
図５に関して、１つ以上のＱｏＳサポート／管理要求に少なくとも部分的に基づいてＱｏＳ処理を受信するための方法５００が示される。方法５００は、５０２において開始し、５０４において、加入者が通信可能な形でＱｏＳプロバイダに結合される。例えば、加入者及びプロバイダは、（例えば、ＦＬＡＳＨ  ＯＦＤＭシステム内の）無線リンクを通じて通信可能な形で結合することができる。他の例においては、結合は、イーサネット（登録商標）ケーブル又はその他の適切な同軸ケーブル、デジタル加入者ライン、又はその他の適切なケーブルを通じて配線することができる。５０６において、加入者と関連づけられた少なくとも１つのトラフィックフローに関するＱｏＳ処理が受信され、該処理は、第１の要求者によって開始された要求に応じて提供される。要求者は、ホスト、インフラストラクチャデバイス、例えば、アプリケーションサーバー、及び／又はその他の同種のものであることができる。５０８において、加入者と関連づけられた少なくとも１つのトラフィックフローに関する追加のＱｏＳ処理が受信され、該追加のＱｏＳ処理は、第２の要求者によって開始された要求に応じて提供される。この場合も、該要求者は、ホスト、アプリケーションサーバー、広告サーバー等であることができる。従って、該処理に関する別々の要求に少なくとも部分的に基づいて加入者にＱｏＳ処理が提供され、該別々の要求は、異なるエンティティによって提供される。次に、方法５００は、５１０において完了する。
【００３６】
次に図６−７の両方に関して、加入者に関する特定のＱｏＳ処理の提供に関連するシステムが提供される。システムは、プロセッサ、ソフトウェア、ハードウェア、ファームウェア、又はその適切な組合せによって実装された機能を表すことができる一連の相互に関連する機能ブロックとして表される。特に図６に関して、加入者の代わりに複数の要求に基づいてＱｏＳ処理を提供することを容易にするシステム６００が示される。一例において、プロバイダ、例えば、基地局、は、システム６００を具備することができる。システム６００は、第１の要求を第１の要求者６０２から受信するための論理モジュールを含み、該要求は、加入者に関するＱｏＳサポートに関して該加入者の代わりに行うことができる（例えば、要求は、加入者からの着信／発信データに対して提供されるＱｏＳ処理に関連する）。論理モジュール６０２は、例えば、アンテナ、ネットワークポート、プロセッサ、メモリ、ソフトウェア、ハードウェア、ファームウェア、及び／又は第１の要求を受信することに関連して利用することができるその他の適切なモジュールを含むことができる。システム６００は、ＱｏＳに関連する第２の要求を第２の要求者６０４から受信するための論理モジュールをさらに含み、第２の要求は、加入者の代わりに行われる。例えば、要求者は、アプリケーションサーバー、加入者と関連づけられたホスト等であることができる。モジュール６０４は、論理モジュール６０２と同様に、アンテナ、ネットワークポート、受信機チェーン、及び／又はその他の同種のものを含むことができる。
【００３７】
システム６００は、加入者に関するＱｏＳを第１及び第２の要求６０６の関数として同時に制御するための論理モジュールをさらに含むことができる。“ＱｏＳを提供する”、“ＱｏＳをサポートする”、“ＱｏＳを管理する”、及びその他の同種の表現は、メータリング、マーキング、ポリシング、待ち行列管理、スケジューリング、ＡＲＱ等を含むトラフィックコンディショニングを包含することが意図される。モジュール６０６は、プロセッサ、メモリ、リンクを通じてのデータのスケジューリングを援助するスケジューリングアプリケーション、及び同等のものを含むことができる。論理モジュール６０６は、複数のその他の要求に基づいてＱｏＳサポートを加入者に提供することもできる。さらに、モジュール６０６は、複数の要求者によって同時に行われた複数の要求に関してＱｏＳサポートを提供するように構成することができる。
【００３８】
次に図７に関して、ＱｏＳ処理をプロバイダから受信するためのシステム７００が示される。例えば、端末（エンドノード）は、システム７００を具備することができる。システム７００は、第１のトラフィックフローに関するＱｏＳ処理を受信するための論理モジュールを含み、該モジュールは、アンテナと、アクセスノード、例えば、基地局、と加入者デバイス、例えば、端末、との間においてリンクを構築することを可能にするソフトウェア／ハードウェアと、を含むことができる。さらに、第１のトラフィックフローは、第１の要求者によって行われるＱｏＳ要求に関連することができる。システム７００は、第２のトラフィックフローに関するＱｏＳ処理を同時に受信するための論理モジュールをさらに含み、第２のトラフィックフローは、第２の要求者によって行われたＱｏＳサポート要求と関連づけることができる。モジュール７０４は、アンテナ、プロセッサ、メモリ、ハードウェア、ソフトウェア、ファームウェア、及び／又はその他の同種のものを含むことができる。
【００３９】
次に図８に関して、通信ネットワーク内における移動性管理を援助するシステム８００が示される。システム８００は、様々なモジュール又はエンティティを含む形で示される一方で、幾つかの側面においては、本明細書において説明される機能を果たすために該エンティティの部分組を利用可能であることが理解される。システム８００は、例えば、基地局であることができるアクセスノード８０２を含む。アクセスノード８０２は、端末８０４に通信可能な形で結合され、端末８０４は、ホスト８０６と関連づけられる。例えば、端末は、プロセッサ、ＰＣＭＣＩＡカード、及び／又はメモリカードであることができ、ホスト８０６は、プロセッサ又はメモリカードを含むデバイスであることができる。他の例においては、端末８０４及びホスト８０６は、別々のエンティティ、例えば、コンピュータ及び周辺装置、例えば、デスクトップモデム、であることができる。端末８０４は、アクセスノード８０２のカバレッジエリア内にある間のみに通信可能な形でアクセスノード８０２に結合されるということも理解されるべきである。例えば、端末８０４の地理上の位置が変えられた場合は、該端末８０４は、ネットワークへのアタッチメントポイントを変更する（例えば、通信可能な形で別個のアクセスノードに結合する）ことが可能である。さらに、示されていないが、端末８０４は、時間的に単一のインスタンス中に２つ以上のアクセスノードに通信可能な形で結合することができ、該ノードのうちの１つは、主ノードとしてのラベルが付される。
【００４０】
システム８００は、ホームエージェント（ＨＡ）８０８をさらに含むことができ、ホームエージェント（ＨＡ）８０８は、例えば、現在のアタッチメントポイントを通じての端末８０４及び／又はホスト８０６へのパケット転送をサポートするためにネットワーク内のどの場所に端末８０４が常駐するかを追跡するために採用することができる。例えば、端末８０４がアタッチメントポイントを変更した場合は、（様々なメッセージ送信を通じて）アタッチメントポイントの該変更をホームエージェント８０８に知らせることができる。ホームエージェント８０８は、直接接続によって又は１つ以上のその他のネットワークエンティティを通じて通信可能な形でアクセスノード８０２に結合することができる。システム８００は、望ましくは端末８０４及び／又はホスト８０６にデータ又はサービスを提供することができるネットワークエンティティ８１０を含むことも可能である。例えば、ネットワークエンティティ８１０は、望ましくはアクセスノード８０２を通じて特定のトラフィックフローを端末８０４に提供するアプリケーションサーバー、例えば、ゲーム用サーバー、であることができる。
【００４１】
システム８００は、アクセスノード８０２にデータを提供することに関連して様々なメカニズムを採用することができ、該アクセスノード８０２は、端末８０４に関するＩＰ層におけるアタッチメントポイントである。例えば、アクセスノード８０２のアドレス（例えば、ＩＰアドレス）が（例えば、ネットワークエンティティ８１０によって）知られている場合は、データは、該アドレスを通じて直接アクセスノード８０２に提供することができる。換言すると、アクセスノード８０２は、端末８０４に関するアタッチメントポイント（例えば、端末８０４に関する幾つかのアタッチメントポイントのうちの１つ）であることができる。アクセスノード８０２のアドレスが知られている場合は、端末８０４向けであるか又は端末８０４によって提供されたデータパケットは、アクセスノード８０２と関連づけられたアドレスに向けることができる。さらに、端末８０４及び／又はホスト８０６に関係するパケット、例えば、制御シグナリング及び／又はメッセージ、は、アクセスノード８０２と関連づけられたアドレスに向けることができる。
【００４２】
しかしながら、端末８０４はネットワーク内において移動するため、アタッチメントポイントは変わる可能性がある。従って、ネットワークエンティティは、いずれのアクセスノードが端末８０４に関する現在のアタッチメントポイントであるか知らない可能性があり、従って特定のアドレスを知らない可能性がある。さらに、ホスト８０６は、データ及び／又はシグナリングを特定のエンティティに中継するのを希望することができるが、いずれのアクセスノードが現在のアタッチメントポイント（又は現在の主アタッチメントポイント）であるかに関する知識を有さない場合がある。一例においては、アクセスノード８０２は、異なるネットワークエンティティにアドレッシングされた（ただし、実際には、アクセスノード８０２向けである）メッセージをインターセプトすることができる。一例においては、ネットワークエンティティ８１０は、端末８０４と関連づけられたアタッチメントポイントにＱｏＳ要求を提供するのを希望することができるが、アクセスノード８０２が該アタッチメントポイントであることは認識していないことがある。従って、ネットワークエンティティ８１０は、例えば、ホームエージェント８０８にアクセスしていずれのアクセスノードが現在端末８０４と関連づけられているかを決定することができる。
【００４３】
代替として、ネットワークエンティティ８１０は、端末８０４（又はホスト８０６）にメッセージを向け、例えば、アドレッシングし、メッセージが端末８０４（又はホスト８０６）に向けられているが実際には端末８０４に関するアタッチメントポイントであるアクセスノード向けであることを示す表示をメッセージ内において提供する、例えば、１つ以上のヘッダーフィールドを予め決められた値、例えば、特定のポート番号、に設定することができる。幾つかの実施形態においては、該表示は、ＩＰヘッダーにおけるルーター警告オプションの使用を含む。該表示は、様々な技術を用いてアクセスノード８０２によって端末８０４方向にルーティング及び／又は転送できるメッセージであることができる。メッセージによってとられるアクセスノード８０２までの経路は、１つ以上の中間ノード、例えば、ホームエージェント８０８、を含むことができる。アクセスノード８０２がメッセージを受信時は、アクセスノード８０２は、例えば、１つ以上のヘッダーフィールドの検査に基づいてメッセージを解析し、メッセージ（例えば、パケット）は、端末８０４（又はホスト８０６）にアドレッシングされている一方で、実際にはアクセスノード８０２向けであることを決定することができる。次に、アクセスノード８０２は、受信されたメッセージの内容に少なくとも部分的に基づいて動作を行う（又は動作を行うかどうかを決定する）ことができる。さらに、アクセスノード８０２は、アクセスノード８０２が例えば端末８０４に関する主アタッチメントポイントであることをネットワークエンティティ８１０に通知するメッセージを生成することができ、該メッセージは、端末８０６に向けられたメッセージをインターセプトする必要なしに後続のメッセージ交換を可能にするためにアクセスノード８０２と関連づけられたアドレスをネットワークエンティティ８１０に通知することができる。
【００４４】
他の例においては、ホスト８０６（又は、ネットワークリンクの加入者側における他のエンティティ）は、望ましくはアクセスノード８０２にメッセージを提供することができるが、該アクセスノードのアドレスは知らないことがある。他の例においては、ホスト８０６は、幾つかのアクセスノード間における無線リンクと関連づけることができ、望ましくは該アクセスノードのうちの１つにメッセージを提供することができる。従って、ホスト８０６は、ネットワークエンティティ８１０にメッセージをアドレッシングし、該メッセージは実際にはアクセスノード８０２による受信及び解析が意図されていることを該メッセージ内において示すことができる。さらに加えて又は代替として、端末８０４は、メッセージをインターセプトし、該メッセージを論理リンク制御（ＬＬＣ）フレーム内にカプセル化する（メッセージが基地局向けであることを示す）ことができる。
【００４５】
一例においては、ホスト８０６は、望ましくは、ネットワークエンティティ８１０によって提供されるサービスに関して特定のＱｏＳサポートを要求することができる。従って、ホスト８０６は、ネットワークエンティティ８１０にアドレッシングされたメッセージを生成することができ、（メッセージがネットワークエンティティ８１０にアドレッシングされているにもかかわらず）メッセージがアクセスノード８０２向けであることをメッセージ内において示すことができる。メッセージがアクセスノード８０２向けであることを示す方法例は、上述されている（例えば、ＩＰヘッダー内でのルーター警告）。適切なアタッチメントポイントにメッセージを提供することに関連してワンホップマルチキャスティングも採用可能であり、該マルチキャスティングは、以下においてさらに詳細に説明される。
【００４６】
次に図９に関して、ワンホップメッセージルーティング及び／又はメッセージインターセプトの利用を例示するシステム例９００が提供され、複数のアタッチメントポイントへの同時接続性に関連する選択的転送が示される。システム９００は、無線端末９０２を含み、無線端末９０２は、望ましい場合は、時間的に単一のインスタンスにおいて複数の基地局へのリンクを構築するように構成される。例えば、無線端末９０２は、複数のアンテナと関連づけることができ及び／又は単一の無線端末に関する複数の基地局へ複数のリンクがサポートされる無線環境内にあることができる（例えば、ＦＬＡＳＨ  ＯＦＤＭ）。従って、例えば、無線端末９０２は、単一の時点において２つの基地局、例えば、基地局９０４及び基地局９０６、への無線リンクと関連づけることができる。該基地局９０４及び９０６のうちの１つは、望ましくは、（例えば、ＩＰ層において）主アタッチメントポイントとして指定することができる。例えば、基地局９０４は、望ましくは主アタッチメントポイントとして指定することができる。しかしながら、幾つかの事例においては、主アタッチメントポイント９０４は、データを送信／受信する上での最適な基地局ではない場合があり、むしろ基地局９０６をデータ送信のために利用することができる。一例により、基地局器９０６とのリンク９０８と関連づけられた信号・雑音比は、基地局９０４とのリンク９１０と関連づけられた信号・雑音比よりも低いことが検出される場合がある。従って、無線端末９０２及び／又はネットワークインフラストラクチャデバイスと関連づけられたスケジューリングアプリケーションは、非主アタッチメントポイントにおいてデータが受信／送信されるようにすることができる。従って、様々な時間的間隔において、パケット、例えば、メッセージ又はフレーム、は、幾つかの判定基準、例えば、信号・雑音比、負荷等に基づいて好ましいとみなされるいずれかのアタッチメントポイントを通じて送信／受信することができる。
【００４７】
しかしながら、幾つかの事例においては、特定のアタッチメントポイント、例えば、主アタッチメントポイント、に一定のパケット、例えば、メッセージ又はフレーム、を提供するのが要求される場合もある。例えば、主アタッチメントポイントは、“接続”メッセージを受信すべきである。しかしながら、ＩＰトラフィックにおいては、データは、典型的には、接続のないホップ・バイ・ホップルーティングを用いてパケットごとに転送され、このため、端末９０２からアタッチメントポイント、例えば、第１の基地局９０４又は第２の基地局９０６のいずれか、に送信されたパケットは、その他の何らかのノード向けであることがしばしばあり、従って実際にはその後に別の場所に中継される。該問題に対処するため、ワンホップマルチキャスティングを利用することができる。例えば、ホスト９１２は、１つ以上のワンホップマルチキャストアドレスにメッセージ又はパケットを提供することができる。ワンホップマルチキャストアドレスを利用することは、ユニキャストアドレスが不明なときに直接接続されたリンクで機能又はエンティティと通信するためにしばしば用いられる。しかしながら、幾つかの事例においては、一定のパケット（例えば、ワンホップマルチキャストアドレスにアドレッシングされたパケット）を特定のアタッチメントポイント（例えば、主アタッチメントポイント）に向けることが望ましい。一実施形態においては、ホスト９１２から発生したパケットを検査し、該パケットを複数のアタッチメントポイントの中の特定のアタッチメントポイント（例えば、主アタッチメントポイント）に引き渡すべきかどうかを決定することができる。一例として、ホスト９１２から提供されてワンホップマルチキャストアドレスの方に向けられた各パケットは、主アタッチメントポイントに向けることができる。
【００４８】
さらに、上述されるように、インターセプトは、アタッチメントポイントとの通信に関連してネットワークインフラストラクチャデバイス間で発生する可能性がある。例えば、システム９００は、無線端末９０２に関して主アタッチメントポイントにメッセージを提供するのを希望することができるが（該アタッチメントポイントのアイデンティティ及び／又はアドレスを知らない）ネットワークエンティティ９１４を含むことができる。
【００４９】
さらに他の例においては、基地局９０４及び９０６は、通信可能な形で結合させ、ルーター、スイッチ、又はブリッジとして働くことができる。例えば、パケットは、望ましくは、第１の基地局９０４に提供することができるが、実際には、例えば、パケットが送信されたときには無線端末９０２から第２の基地局９０６へのリンクのほうが実質的には優れていたため、第２の基地局９０６に提供される。基地局９０６は、（パケット内における何らかの表示により）パケットが基地局９０４向けであることを認識することができ、該パケットを第１の基地局９０４に中継又はリダイレクトすることができる。例えば、ワンホップマルチキャストアドレスにアドレッシングされたパケットは、典型的には、送信されたときの直接リンク以降には転送されない。第２の基地局９０６がワンホップマルチキャストアドレスにアドレッシングされたパケットを受信し、ワンホップマルチキャストアドレスに送信されたパケットは（例えば、第１の基地局９０４が主アタッチメントポイントとして指定されているため）第１の基地局９０４に提供すべきであると決定した場合は、第２の基地局９０６は、該パケットを第１の基地局９０４にリダイレクトする、例えば、第１の基地局９０４にアドレッシングされた他のパケット又はフレーム内に受信されたパケットをカプセル化することができる。
【００５０】
次に図１０に関して、ＬＬＣフレーム例１０００が示される。ＬＬＣフレーム１０００は、ヘッダー部１００２を含むことができ、ヘッダー部１００２は、例えば、基地局の識別子１００４又はフレーム１０００を特定のエンティティに転送するか又は特定のエンティティによってインターセプトすべきであることを示す表示を具備することができる。ＬＬＣフレーム１０００は、ペイロード１００６を含むこともでき、ペイロード１００６は、例えば、特定のトラフィックフロー、例えば、ワンホップマルチキャストアドレス向けのＩＰパケットに入れて搬送されたＱｏＳ資源制御メッセージ、に関する一定のＱｏＳ処理の要求を含むことができる。ＬＬＣフレーム１０００は、ＣＲＣ等のトレーラー１００８をさらに含むことができる。該フレーム１０００は、該メッセージの開始者が無線端末に関する主アタッチメントポイントのアイデンティティ及び／又はアドレスに関する知識を有さないときにメッセージをカプセル化するために採用することができる。例えば、無線端末は、ホストから受信されたメッセージを（ヘッダー及び／又はペイロードフィールドの検査に基づいて）分類し、本明細書において説明されるのと同様のＬＬＣフレーム内にメッセージをカプセル化することができる。本明細書においてはＬＬＣフレームが説明されるが、意図された受信者にメッセージを再ルーティングするためのあらゆる適切な方法が発明者によって企図されており、本明細書に添付された請求項の適用範囲内に入ることが意図されている点が理解される。
【００５１】
次に図１１に関して、アタッチメントポイント（例えば、主アタッチメントポイント）にデータパケットの内容を提供することに関連して該データパケットをＬＬＣフレーム内にカプセル化するための方法１１００が示される。方法１１００は、１１０２において開始し、１１０４においてデータパケットが受信される。例えば、受信されたデータパケットは、特定の無線端末に関するＱｏＳ要求を含むことができ、該要求は、望ましくは、特定の基地局（例えば、主アタッチメントポイント）に提供することができる。例えば、データパケットは、無線端末によってホストデバイスから受信することができる。１１０６において、データパケットを主アタッチメントポイントに提供すべきであるという決定を行うことができる。例えば、データパケットは、ワンホップマルチキャストアドレスにアドレッシングすることができる。
【００５２】
１１０８において、データパケットは、例えば、ＬＬＣフレーム内にカプセル化され、主アタッチメントポイントに向けられる。該カプセル化は、例えば、無線端末において行うことができる。いったんカプセル化後は、フレームは、適切なアタッチメントポイントに提供すること及び／又は該アタッチメントポイントにルーティングすることができる。次に、方法１１００は、１１１０において完了する。
【００５３】
次に図１２に関して、データパケットのユニキャスト中継を行うための方法１２００が示される。方法１２００は、１２０２において開始し、１２０４において、データパケットが受信される。例えば、無線端末は、データパケットをホストから受信することができる。他の例においては、ホームエージェントは、他のネットワークインフラストラクチャデバイスからデータパケットを受信することができる。１２０６において、データパケットが特定の基地局（アタッチメントポイント）にアドレッシングされていることが決定される。例えば、データパケットは、基地局のＩＰアドレスを示すことができる。１２０８において、データパケットは、識別された基地局に中継され、１２１０において、方法は完了する。このユニキャストルーティングは、メッセージ生成時に基地局のアイデンティティ／アドレスが知られていない場合にメッセージのインターセプト及び中継に加えてワンホップマルチキャスティングをさらにサポートする柔軟なシステムにおいてサポートすることができる。
【００５４】
次に図１３に関して、無線通信環境においてメッセージをインターセプトするための方法１３００が示される。インターセプトは、メッセージを生成する当事者が（無線端末の移動性に起因して）無線端末と関連づけられた特定の基地局に関する知識を有さないときに望ましい。該方法１３００は、例えば、パケット交換無線ネットワークにおいて行うことができる。方法１３００は、１３０２において開始し、１３０４において、データパケットが受信され、データパケットは、特定の無線端末にアドレッシングされる。データパケットは、例えば、基地局において受信することができる。１３０６において、パケットのヘッダーは、パケットが無線端末に転送されるのではなく保持して解析すべきであることの表示を含むことができるため、該ヘッダーが解析される。例えば、基地局は、ヘッダー及び／又はペイロード内の１つ以上のフィールドの検査、例えば、ヘッダー内のフィールドの特定値と一致すること、に基づいてパケットをインターセプトすることを決定することができる。１３０８において、パケットは受信基地局向けであり（通信可能な形で基地局に結合された無線端末向けでない）という決定が行われる。さらに、基地局は、加入者側デバイスからの、ネットワーク内の通信ピアにアドレッシングされたメッセージを“インターセプト”できることが理解される。換言すると、基地局は、ダウンリンク及び／又はアップリンクパケットを“インターセプト”するために採用することができ、ここで、“インターセプト”という表現は、基地局が異なるネットワーク要素にアドレッシングされたパケットを受信すること及び該パケットが基地局向けであることを認識していることを意味する。基地局は、その後に、データパケットの内容を解析し、例えば、データパケットの内容に基づいて１つ以上のトラフィックフローに関するＱｏＳ処理を提供することができる。次に、方法１３００は、１３１０において完了する。
【００５５】
次に図１４に関して、データパケットを適切な基地局に提供することに関連して選択的転送を行うための方法１４００が示される。上述されるように、無線端末の移動性は、無線端末に関する主アタッチメントポイントを生じさせることができる。さらに、無線端末は、複数の基地局へのリンクと関連づけることができ、該基地局のうちの１つを主アタッチメントポイントとして指定すべきである。しかしながら、モバイルユニットの地理上の位置は変化するため、各ネットワークエンティティ及び加入者側デバイスに主アタッチメントポイントを知らせるのは困難である。方法１４００は、発信エンティティが主基地局のアイデンティティ／ネットワークアドレスに関する知識を有さないときに主基地局向けパケットを該基地局にルーティングするのを可能にする。
【００５６】
方法１４００は、１４０２において開始し、１４０４において、ワンホップマルチキャストアドレスにアドレッシングされたデータパケットが受信される。例えば、ホストデバイスは、データパケットの送信を開始することができ、ホストデバイスと関連づけられた無線端末が該データパケットを受信することができる。１４０６において、データパケットは、特定のフレームフォーマット（例えば、ＬＬＣフレーム）でカプセル化され、データパケットが主アタッチメントポイント（基地局）向けであることの表示が該フレームのヘッダー内において提供される。例えば、無線端末は、該カプセル化を行うことができる。１４０８において、フレームは、通信可能な形で無線端末に結合された基地局に提供される。より詳細には、フレームは、主アタッチメントポイントでない基地局に提供することができるが、該基地局は、フレームを解析し、パケットは適切な基地局に転送すべきであることを決定することができる。他の例においては、フレームは、主アタッチメントポイントに直接提供することができる。次に、方法１４００は、１４１０において完了する。
【００５７】
図１５に関して、適切なアタッチメントポイント（基地局）へのデータパケットの提供を容易にするシステム１５００が示される。システム１５００は、データパケット１５０２を受信するための論理モジュールを含み、該モジュール１５０２は、１つ以上のネットワークポート、アンテナ、受信機チェーン、メモリ、プロセッサ、又はデータパケットを受信するために利用できるその他の適切なソフトウェア／ハードウェアを含むことができる。システム１５００は、データパケットを特定のアタッチメントポイント１５０４に提供すべきであることを決定するための論理モジュールも含む。該モジュールは、プロセッサと、（例えば、受信されたデータパケットを解析してパケットが主アタッチメントポイント（基地局）向けであるかどうかを決定するように構成された）プロセッサによって実行されるアプリケーションと、も含む。システム１５００は、データパケットをＬＬＣフレーム１５０６内にカプセル化するための論理モジュールをさらに含む。この場合も、該モジュール１５０６は、プロセッサ、メモリ、ハードウェア、ソフトウェア、ファームウェア等を含むことができる。システム１５００は、フレームを特定のアタッチメントポイント１５０８に向けるための論理モジュールも含み、論理モジュール１５０８は、送信機、ネットワークポート、及び／又はその他の適切な通信媒体、及びフレームを特定のアタッチメントポイントに向けることを可能にするソフトウェア、ハードウェア、ファームウェア、及びその他の同種のものを含むことができる。
【００５８】
次に図１６に関して、メッセージを“インターセプトする”ことに関連するシステム１６００が示され、“インターセプトする”は、ネットワークエンティティにアドレッシングされたパケットが実際には受信エンティティ向けであることを認識することを意味する。システム１６００は、データパケット１６０２を受信するための論理モジュールを含み、該モジュール１６０２は、アンテナ、受信機チェーン、プロセッサ、メモリ、及び／又は関連づけられた適切なハードウェア、ソフトウェア、及び／又はファームウェアを具備することができる。受信されたデータパケットは、特定のネットワークエンティティにアドレッシングすることができる。システム１６００は、データパケットが受信エンティティ１６０４でないネットワークエンティティにアドレッシングされていることを決定するための論理モジュールをさらに含む。例えば、論理モジュール１６０４は、プロセッサ、アプリケーション、及び／又はその他の同種のもの、を含むことができる。システム１６００は、（データパケットが異なるネットワークエンティティにアドレッシングされているにもかかわらず）データパケットが受信エンティティ１６０６向けであることを決定するための論理モジュール１６０６も含む。論理モジュール１６０６は、１つ以上のプロセッサ、メモリ等を含むことができる。システム１６００は、受信されたデータパケット１６０８の内容に少なくとも部分的に基づいて受信エンティティにおいて命令を実行するための論理モジュールも具備することができる。該モジュール１６０８は、例えば、プロセッサを含むことができる。
【００５９】
次に図１７に関して、システム１７００が示され、システム１７００は、資源状態に関するアタッチメントポイントが変更されている、例えば、資源が関連づけられている加入者デバイスが新しいアタッチメントポイントに移動している、ことの表示を資源要求者に提供することを示すために採用される。システム１７００は、２つのアクセスノード１７０４及び１７０６のうちの少なくとも１つに通信可能な形で結合された無線端末１７０２を含む。一例においては、アクセスノード１７０４及び１７０６は、無線通信環境内の基地局であることができ、無線端末１７０２は、（リンク１７０８及び１７１０によって示されるように）通信可能な形でアクセスノード１７０４及び１７０６の両方に同時に結合することができ、該ノードのうちの１つは、主アクセスノードである。しかしながら、無線端末１７０２は、アクセスノード１７０４及び１７０６のいずれにも“主”アクセスノードのラベルを付さずに両アクセスノードに同時に結合することができる点が理解される。他の例においては、無線端末１７０２は、時間的に第１のインスタンスにおいてアクセスノード１７０４にリンクし、次に時間的に第２のインスタンスにおいてアクセスノード１７０６にハンドオフすることができる。無線端末１７０２は、ホストデバイス１７１２と関連づけることができ、ホストデバイス１７１２は、例えば、無線端末１７０２を具備することができる。他の例においては、ホスト１７１２は、計算デバイスであることができ、無線端末１７０２は、周辺装置であることができる。
【００６０】
システム１７００は、無線端末１７０２に関してアクセスノード１７０４及び１７０６のうちの１つから資源を要求するネットワークエンティティ１７１４を含むことも可能である。例えば、ネットワークエンティティ１７１４は、アプリケーションサーバーであることができ、無線端末と関連づけられた主アクセスノードから無線端末１７０２の代わりにＱｏＳサポート／管理を要求することができる。他の例においては、ネットワークエンティティ１７１４は、例えば、アプリケーションサーバー内に常駐する機能であることができる。しかしながら、上述されるように、無線端末１７０２は、ネットワーク内の異なる地理上の位置に移動し、それによってそのアタッチメントポイント（又は主アタッチメントポイント）をネットワークに変更することができる。ネットワークエンティティ１７１４が資源要求をどこに中継するかに関する知識を有するようにするため、無線端末１７０２に関するアタッチメントポイントが変わっていることをネットワークエンティティ１７１４に通知するメッセージ（移動メッセージ）が、アクセスノード１７０４及び１７０６のうちの少なくとも１つによって生成されてネットワークエンティティ１７１４に提供される。さらに加えて又は代替として、メッセージ（移動メッセージ）は、ネットワークエンティティ１７１４によって制御及び／又は維持される資源状態、例えば、１つ以上のトラフィックフローに関するＱｏＳサポートに対応するデータ構造、が無線端末１７０２の新しいアタッチメントポイントに移動されていることをネットワークエンティティ１７１４に通知することができる。
【００６１】
一例により、アクセスノード１７０４は、最初は、無線端末１７０２に関するアタッチメントポイントであることができ、ネットワークエンティティ１７１４は、資源要求をアクセスノード１７０４に提供することができる。アクセスノード１７０４は、資源状態情報（例えば、ＱｏＳ資源情報）を保持し、（加入者が要求された資源に関して権限を付与されていると想定して）資源要求に関する適切なトラフィックフロー処理を無線端末１７０２に提供することができる。無線端末１７０２が位置を変えたときに、ハンドオフが発生し、アクセスノード１７０６が無線端末１７０２に関するアタッチメントポイント（例えば、主アタッチメントポイント）になることができる。他の例においては、アクセスノード１７０４は異なる資源又は資源状態に関するアタッチメントポイントにとどまる一方で、アクセスノード１７０６は、特定の資源又は資源状態に関するアタッチメントポイントになることができる。要求者のアイデンティティ／ネットワークアドレスを含む資源状態情報は、アクセスノード１７０４（直近のアタッチメントポイント）とアクセスノード１７０６（現在のアタッチメントポイント）との間で中継することができる。次に、アクセスノード１７０６は、現在はアクセスノード１７０６が無線端末１７０２に関するアタッチメントポイント（例えば、主アタッチメントポイント）であることを示すメッセージをネットワークエンティティ１７１４に提供することができる。他の実施形態においては、アクセスノード１７０４は、アクセスノード１７０６が無線端末１７０２に関する新しいアタッチメントポイントであることを示す移動メッセージをネットワークエンティティ１７１４に提供することができる。さらに他の実施形態においては、アクセスノード１７０４及びアクセスノード１７０６の両方が、ネットワークエンティティ１７１４に移動メッセージを提供することができる。その後は、ネットワークエンティティ１７１４は、後続する資源要求を現在のアタッチメントポイント（例えば、アクセスノード１７０６）に提供することができる。
【００６２】
無線端末１７０２は、移動メッセージを提供するために採用することも可能であり、該移動メッセージは、ホスト１７１２に提供することができる。一例により、無線端末１７０２は、アタッチメントポイントが（例えば、アクセスノード１７０４からアクセスノード１７０６に）変わっていることを知っていることができる。無線端末１７０２は、移動メッセージを生成して該メッセージをホスト１７１２に提供することができ、それによってホスト１７１２が資源要求（例えば、特定のトラフィックフローに関するＱｏＳサポート要求）をどこに提供するかに関する知識を有するのを可能にする。
【００６３】
認識できるように、例えばネットワークエンティティ１７１４が資源要求を開始し、もはや主アクセスノードではない及び／又は無線端末１７０２にリンクされていないアクセスノードにその資源要求を提供する場合は、競合（ｒａｃｅ）状態が存在する可能性がある。このような場合は、（例えば、望ましくは無線端末１７０２と関連づけられている資源を追加する、無線端末１７０２と関連づけられた資源を変更する、無線端末１７０２と関連づけられた資源を削除するための）資源要求は、時間切れになる可能性がある。時間切れになる前又は時間切れになる直前に、ネットワークエンティティ１７１４は、移動メッセージを受信することができる。競合状態を管理するためのその他の方法／メカニズムが発明者によって企図されており、本明細書に添付された請求項の適用範囲内に入ることが意図されている。
【００６４】
次に図１８に関して、移動表示（メッセージ）を資源要求者に提供するための方法１８００が示される。方法１８００は、１８０２において開始し、１８０４において、無線端末に関するアタッチメントポイントであるアクセスノード（例えば、基地局）に関するハンドオフが行われる。例えば、アクセスノードは、（ハンドオフ前に）幾つかのアタッチメントポイントのうちの１つであることができ及び／又は唯一のアタッチメントポイントであることができる。該ハンドオフは、無線端末が例えば基地局によって提供されるカバレッジエリア間において地理的に移動することに起因して発生することが可能である。１８０６において、資源要求者と関連づけられた資源状態が受信される。例えば、該資源状態は、現在のアタッチメントポイント（例えば、主アタッチメントポイント）において直近のアタッチメントポイント（又は主アタッチメントポイント）から受信することができる。資源状態は、例えば、無線端末と関連づけられた特定のトラフィックフローがＱｏＳに関してどのように処理されるべきであるかを示すことができる。資源要求者は、無線端末、例えば、アプリケーションサーバー、と関連づけられた資源を要求するネットワークエンティティであることができる。さらに加えて又は代替で、資源要求者は、無線端末と関連づけられたホストであることができる。さらに、資源要求者は、アプリケーションサーバー内に常駐する機能及び／又は加入者側デバイス内に常駐する機能であることができる。さらに加えて、現在のアタッチメントポイントは、複数の資源要求者と関連づけられた複数の資源状態を受信することができる。１８０８において、移動表示が要求者（又は複数の要求者）に提供され、それによって１つ以上のトラフィックフローに関する一定のＱｏＳ処理を例えば無線端末に提供中の基地局に関する知識を要求者に提供する。これで、要求者は、後続する要求を現在のアタッチメントポイントに提供することができる。方法１８００は、その後、１８１０において完了する。
【００６５】
図１９に関して、資源要求者に移動メッセージを提供するための方法１９００が示される。方法１９００は、１９０２において開始し、１９０４において、無線端末に関するハンドオフが発生していることが決定される。例えば、アタッチメントポイント（例えば、主アタッチメントポイント）であったアクセスノードは、ハンドオフが発生後はもはやアタッチメントポイントではない（又はもはや主アタッチメントポイントではない）と決定することができる。１９０６において、資源要求者のアイデンティティ／位置が決定され、アクセスノードは、ハンドオフ前に資源要求者と関連づけられた資源を管理／サポートしていた。例えば、資源要求者のアイデンティティ及び／又は位置は、アクセスノードと関連づけられたメモリ内において保持することができる。
【００６６】
１９０８において、新しいアタッチメントポイント（又は新しい主アタッチメントポイント）であるアクセスノードのアイデンティティ／位置が決定される。例えば、該アイデンティティ／位置は、（ハンドオフ後における）新しいアタッチメントポイントであるアクセスノードから、ハンドオフの対象となっている無線端末から、及び／又はその他の同種のものから提供することができる。１９１０において、識別された資源要求者は、新しいアタッチメントポイント（又は主アタッチメントポイント）のアイデンティティ及び／又は位置が提供される。従って、資源要求者は、将来の資源要求をどこに提供すべきかに関する知識を有することになる。次に、方法１９００は、１９１２において完了する。
【００６７】
次に図２０に関して、アタッチメントポイントに資源要求を提供するための方法２０００が示される。方法２０００は、２００２において開始し、２００４において、無線端末に代わる資源要求がアタッチメントポイントに提供され、アタッチメントポイントは、例えば、主アタッチメントポイントであることができる。例えば、要求は、要求の対象である無線端末に関するスケジューリング、資源割り当て、及びその他のＱｏＳ機能を行う基地局に提供することができる。例えば、アプリケーションサーバーは、現在のアタッチメントポイントに資源要求を提供することができる。２００６において、アタッチメントポイントが変更されていること（又は主アタッチメントポイントが変わっていること）の表示が受信される。例えば、上述されるように、移動メッセージは、現在の主アタッチメントポイント及び／又は前回の主アタッチメントポイントから提供することができる。２００８において、移動メッセージ内において示されるアタッチメントポイント（例えば、主アタッチメントポイント）、例えば、主アタッチメントポイントの変更に後続する新しい主アタッチメントポイント、に後続する資源要求が提供される。次に、方法２０００は、２０１０において完了する。
【００６８】
次に図２１において、無線端末に関するアタッチメントポイントの変更を資源要求者に通知することを容易するシステム２１００が示される。システム２１００は、要求者２１０２と関連づけられたＱｏＳ資源状態を受信するための論理モジュールを含み、該モジュール２１０２は、ポート、受信機チェーン、プロセッサ、メモリ、及び／又はその他の同種のものを含むことができる。例えば、モジュール２１０２は、前アタッチメントポイント又は前主アタッチメントポイントから資源状態を受信するように構成することができる。より具体的には、ハンドオフ手順中に、前アタッチメントポイントは、ハンドオフ手順の対象である無線端末と関連づけられた資源状態を新しいアタッチメントポイントに提供することができる。他の例においては、前主アタッチメントポイントは、無線端末に関連する資源状態を新しい主アタッチメントポイントに提供することができる。システム２１００は、移動表示を要求者２１０４に引き渡すための論理モジュールをさらに含み、モジュール２１０４は、アンテナ、送信機チェーン、及び／又はその他の同種のものを含むことができる。従って、要求者は、無線端末と関連づけられた現在のアタッチメントポイントのアイデンティティ／ネットワークアドレスに関する知識を有することになる。
【００６９】
図２２に関して、ＱｏＳ資源要求を適切なアクセスノードに提供するためのシステム２２００が示される。システム２２００は、ＱｏＳサポート要求をアタッチメントポイント２２０２（例えば、主アタッチメントポイント）に提供するための論理モジュールを含み、該モジュール２２０２は、アンテナ、送信ソフトウェア、ネットワークケーブル、及び／又はその他の同種のものを含むことができる。アタッチメントポイントは、ＱｏＳサポート要求の対象である特定の無線端末に関するアタッチメントポイントであることができる。システム２２００は、アタッチメントポイントが変更されていることの表示を受信するための論理モジュールをさらに含む２２０４。例えば、主アタッチメントポイントは変わることができ、追加のアタッチメントポイントを無線端末と関連づけることができ、以下同様である。該論理モジュール２２０４は、受信機チェーン、ネットワークケーブル、表示の受信を可能にするソフトウェア等を含むことができる。システム２２００は、無線端末２２０６に関する新しいアタッチメントポイントに後続するＱｏＳサポート要求を提供するための論理モジュールをさらに含む。論理モジュール２２０６は、論理モジュール２２０２と実質的に同様の要素を含むことができる。
【００７０】
次に図２３に関して、通信装置２３００が示される。通信装置は、端末、無線端末、ホスト、アクセスノード（例えば、基地局）、ネットワークエンティティ、例えば、アプリケーションサーバー、ホームエージェント等、及び／又はその他の同種のものであることができる。通信装置２３００は、様々な命令を保持するために利用されるメモリ２３０２と、該命令を実行するように構成されるプロセッサ２３０４と、を含むことができる。例えば、通信装置２３００がアクセスノードである場合は、メモリ２３０２は、無線端末の代わりに複数のエンティティからＱｏＳサポート／管理要求を受信するための命令を含むことができ、プロセッサ２３０４は、該命令を実行するために採用することができる。一般的には、通信装置は、メモリ２３０２が上述される適切な機能に関連する命令を含むように構成することができ、プロセッサ２３０４は、（限定されずに、ＱｏＳサポート要求を提供するための命令と、ＱｏＳサポート要求を受信するための命令と、移動表示を生成及び引き渡すための命令と、ＬＬＣフレーム内にデータパッケージをカプセル化するための命令と、本明細書において説明されるその他の機能と、を含む）該命令を実行するために採用することができる。
【００７１】
本明細書において説明される１つ以上の実施形態に関するさらなる状況を提供するため、通信リンクによって相互接続された複数のノードを具備する通信システム例２４００を示す図２４が提供される。システム２４００は、無線リンクを通じて情報を通信するために直交周波数分割多重化（ＯＦＤＭ）信号を用いることができる。しかしながら、その他の型の信号、例えば、符号分割多重接続（ＣＤＭＡ）信号又は時分割多重接続（ＴＤＭＡ）信号、も（陸上のネットワークにおいて利用される信号とともに）企図されている。通信システム２４００内のノードは、通信プロトコル、例えば、インターネットプロトコル（ＩＰ）、に基づいて、信号、例えば、メッセージ、を用いて情報を交換する。システム２４００の通信リンクは、例えば、ワイヤ、光ファイバケーブル、及び／又は無線通信技術を用いて実装することができる。システム２４００は、複数のエンドノード２４０２乃至２４１２を含み、エンドノード２４０２乃至２４１２は、複数のアクセスノード２４１４乃至２４１８を通じて通信システム２４００にアクセスする。エンドノード２４０２乃至２４１２は、例えば、無線通信デバイス又は端末であることができ、アクセスノード２４１４乃至２４１８は、例えば、無線アクセスルーター又は基地局であることができる。通信システム２４００は、相互接続性を提供するため又は特定のサービス又は機能を提供するために用いられる幾つかのその他のノード２４２０乃至２４３０も含む。
【００７２】
通信システム２４００は、アクセス制御ノード２４２０と、移動性サポートノード２４２２と、ポリシー制御ノード２４２４と、アプリケーションサーバーノード２４２６と、を含むネットワーク２４６０を描き、これらのノードはすべて、対応するネットワークリンク２４３２乃至２４３８によって中間ネットワークノード２４２８にそれぞれ接続される。幾つかの実施形態においては、アクセス制御ノード、例えば、リモート認証ダイヤルインユーザーサービス（ＲＡＤＩＵＳ）又はＤｉａｍｅｔｅｒサーバー、は、エンドノードの認証、権限付与、及び／又は会計及び／又はエンドノードと関連づけられたサービスをサポートする。幾つかの実施形態においては、移動性サポートノード２４２２、例えば、モバイルＩＰホームエージェント及び／又はコンテキスト転送サーバー、は、例えば、エンドノードへの／からのトラフィックのリダイレクション及び／又はアクセスノード間におけるエンドユーザーと関連づけられた状態の転送を通じて、アクセスノード間におけるエンドノードの移動性、例えば、ハンドオフ、をサポートする。幾つかの実施形態においては、ポリシー制御ノード２４２４、例えば、ポリシーサーバー又はポリシー決定ポイント（ＰＤＰ）、は、サービス又はアプリケーション層セッションに関するポリシー権限付与をサポートする。幾つかの実施形態においては、アプリケーションサーバーノード２４２６、例えば、セッション開始プロトコルサーバー、ストリーミングメディアサーバー、又はその他のアプリケーション層サーバー、は、エンドノードが利用可能なサービスに関するセッションシグナリングをサポートし及び／又はエンドノードが利用可能なサービス又はコンテンツを提供する。
【００７３】
ネットワーク２４６０内の中間ネットワークノード２４２８は、ネットワークリンク２４３４を通じて、ネットワーク２４６０の観点から外部であるネットワークノードへの相互接続性を提供する。ネットワークリンク２４３４は、中間ネットワークノード２４３０に接続され、中間ネットワークノード２４３０は、ネットワークリンク２４３６乃至２４４０を通じてアクセスノード２４１４、２４１６、及び２４１８へのさらなる接続性をそれぞれ提供する。各アクセスノード２４１４乃至２４１８は、対応するアクセスリンク２４４２乃至２４５２をそれぞれ通じて、エンドユーザー２４０２乃至２４１２への接続性をそれぞれ提供することが描かれている。通信システム２４００においては、各アクセスノード２４１４乃至２４１８は、アクセスを提供するために無線技術、例えば、無線アクセスリンク、を用いる状態が描かれる。しかしながら、アクセスの提供に関連して有線技術も利用可能である。各アクセスノード２４１４乃至２４１８の無線カバレッジエリア、例えば、通信セル２４５４乃至２４５８は、対応するアクセスノードを囲む円として示される。
【００７４】
通信システム２４００は、本明細書において説明される様々な実施形態の説明のための基礎として用いることができる。代替実施形態は、様々なネットワークトポロジーを含み、（ネットワークノード、アクセスノード、エンドノード、及び様々な制御、サポート、及びサーバーノードを含む）ノードの数と型、リンクの数と型、及び様々なノード間の相互接続性は、通信システム２４００の場合と異なることができる。さらに、通信システム２４００において描かれている機能エンティティの一部は、省略又は組み合わせることができる。これらの機能エンティティの位置及び配置も変えることができる。
【００７５】
図２５は、エンドノード例２５００、例えば、無線端末、を示す。エンドノード２５００は、エンドノード２４０２乃至２４１２のうちのいずれか１つとして用いることができる装置を表す（図２４）。エンドノード２５００は、バス２５１０によってひとつに結合されたプロセッサ２５０２と、無線通信インタフェースモジュール２５０４と、ユーザー入力／出力インタフェース２５０６と、メモリ２５０８と、を含む。従って、バス２５１０を通じて、エンドノード２５００の様々な構成要素は、情報、信号及びデータを交換することができる。エンドノード２５００の構成要素２５０２乃至２５０８は、ハウジング２５１２内部に配置することができる。
【００７６】
無線通信インタフェースモジュール２５０４は、エンドノード２５００の内部構成要素が外部のデバイス及びネットワークノード、例えば、アクセスノード、に／から信号を送信及び受信することができるメカニズムを提供する。無線通信インタフェースモジュール２５０４は、例えば、無線通信チャネルを通じてエンドノード２５００をその他のネットワークノードに結合させるために用いられる、例えば、対応する受信アンテナ２５１６を有する受信機モジュール２５１４と、対応する送信アンテナ２５２０を有する送信機モジュール２５１８と、を含む。
【００７７】
エンドノード２５００は、ユーザー入力／出力インタフェース２５０６を通じてバス２５１０に結合されるユーザー入力デバイス２５２２、例えば、キーパッド、及びユーザー出力デバイス２５２４、例えば、ディスプレイ、も含む。従って、ユーザー入力／出力デバイス２５２２及び２５２４は、ユーザー入力／出力インタフェース２５０６及びバス２５１０を通じてエンドノード２５００のその他の構成要素と情報、信号及びデータを交換することができる。ユーザー入力／出力インタフェース２５０６及び関連づけられたデバイス２５２２及び２５２４は、ユーザーが様々なタスクを完遂させるためにエンドノード２５００を動作することができるメカニズムを提供する。特に、ユーザー入力デバイス２５２２及びユーザー出力デバイス２５２４は、エンドノード２５００及びエンドノード２５００のメモリ２５０８において実行するアプリケーション、例えば、モジュール、プログラム、ルーチン、及び／又は関数、をユーザーが制御するのを可能にする機能を提供する。
【００７８】
プロセッサ２５０２は、メモリ２５０８に含められている様々なモジュール、例えば、ルーチン、の制御下にあり、様々なシグナリング及び処理を行うためにエンドノード２５００の動作を制御する。メモリ２５０８に含められているモジュールは、立ち上がり時又はその他のモジュールによって呼び出されたときに実行される。モジュールは、実行されたときにデータ、情報、及び信号を交換することができる。モジュールは、実行されたときにデータ及び情報を共有することもできる。エンドノード２５００のメモリ２５０８は、制御シグナリングモジュール２５２６と、アプリケーションモジュール２５２８と、トラフィック制御モジュール２５３０と、を含み、コンフィギュレーション情報２５３２及び様々な追加モジュールをさらに含む。
【００７９】
制御シグナリングモジュール２５２６は、例えば、トラフィック制御モジュール２５３０、及びコンフィギュレーション情報２５３２及び含められている様々な追加モジュールを含むエンドノード２５００の様々な側面の動作及び／又はコンフィギュレーションを制御するための信号、例えば、メッセージ、を受信及び送信することに関連する処理を制御する。幾つかの実施形態においては、制御シグナリングモジュール２５２６は、エンドノード２５００の動作に関連する状態情報、例えば、パラメータ、状態及び／又はその他の情報、及び／又は制御シグナリングモジュール２５２６によってサポートされる１つ以上のシグナリングプロトコルを含むことができる。特に、制御シグナリングモジュール２５２６は、コンフィギュレーション情報、例えば、エンドノード識別情報及び／又はパラメータ設定、及び、動作情報、例えば、現在の処理状態に関する情報、未決のメッセージトランザクションの状態等、を含むことができる。
【００８０】
アプリケーションモジュール２５２８は、エンドノード２５００によってサポートされる１つ以上のアプリケーションに関連する処理及び通信を制御する。幾つかの実施形態においては、アプリケーションモジュール２５２８処理は、ユーザー入力／出力インタフェース２５０６を通じての情報の入力／出力、アプリケーションと関連づけられた情報の処理、及び／又はアプリケーションと関連づけられた信号、例えば、メッセージ、の受信又は送信に関連するタスクを含むことができる。幾つかの実施形態においては、アプリケーションモジュール２５２８は、アプリケーションモジュール２５２８によってサポートされる１つ以上のアプリケーションの動作に関連する状態情報、例えば、パラメータ、状態及び／又はその他の情報、を含む。特に、アプリケーションモジュール２５２８は、コンフィギュレーション情報、例えば、ユーザー識別情報及び／又はパラメータ設定、及び、動作情報、例えば、現在の処理状態に関する情報、未決の応答の状態等、を含むことができる。アプリケーションモジュール２５２８によってサポートされるアプリケーションは、例えば、ボイス・オーバーＩＰ（ＶｏＩＰ）、ウェブブラウジング、ストリーミング音声／映像、瞬時メッセージ送信、ファイル共有、ゲーム等を含む。
【００８１】
トラフィック制御モジュール２５３０は、無線通信インタフェースモジュール２５０４を通じて、データ情報、例えば、メッセージ、パケット、及び／又はフレーム、を受信及び送信することに関連する処理を制御する。トラフィック制御モジュール例２５３０は、コンフィギュレーション情報２５３２と、パケット及び／又はトラフィックフロー、例えば、関連づけられた一連のパケット、に関するＱｏＳの様々な側面を制御する様々な追加のモジュールと、を含む。様々な追加のモジュールは、幾つかの実施形態においては、トラフィック制御の特定の側面をサポートするために必要に応じて特定の機能及び動作を行うために含められる。モジュールは、トラフィック制御の機能上の要求に依存して必要に応じて省略する及び／又は組み合わせることができる。トラフィック制御モジュール２５３０に含められている各追加モジュールに関する説明は以下のとおりである。
【００８２】
受付（ａｄｍｉｓｓｉｏｎ）制御モジュール２５３４は、資源の利用／利用可能性に関連する情報を維持し、望ましくは特定のトラフィックフローと関連づけられたＱｏＳパラメータをサポートするために十分な資源を利用可能であるかどうかを決定する。受付制御モジュール２５３４によって維持される資源利用可能性情報は、例えば、パケット及び／又はフレーム待ち行列容量、スケジューリング容量、１つ以上のトラフィックフローをサポートするために必要な処理及びメモリ容量、を含む。エンドノード２５００に含められている制御シグナリングモジュール２５２６、アプリケーションモジュール２５２８、及び／又はその他のモジュールは、新しい又は修正されたトラフィックフローをサポートする上で十分な資源が利用可能であるかどうかを決定するために受付制御モジュール２５３４に問い合わせることができ、ここで、受付制御決定は、特定のトラフィックフローのＱｏＳパラメータ及びプロファイル内において定義されるＱｏＳパラメータの関数である。コンフィギュレーション情報２５３２は、受付制御モジュール２５３４の動作に影響を与えるコンフィギュレーション情報、例えば、パラメータ設定値、例えば、追加の要求を拒否する前に割り当てることができる資源の割合を示す受付制御しきい値、を含むことができる。
【００８３】
アップリンクスケジューラモジュール２５３６は、無線通信インタフェースモジュール２５０４を通じて、例えば、エンドノード２５００からアクセスノードに送信されるデータ情報、例えば、メッセージ、パケット、及び／又はフレーム、に関する、送信スケジューリング、例えば、順序及び／又はタイミング、及び送信資源、例えば、情報コーディングレート、送信時間スロット、及び／又は送信電力、の割り当てに関連する処理を制御する。アップリンクスケジューラモジュール２５３６は、１つ以上のトラフィックフローと関連づけられたＱｏＳパラメータの関数として送信をスケジューリングして送信資源を割り当てることができる。幾つかの実施形態においては、アップリンクスケジューラモジュール２５３６によって行われるスケジューリング及び／又は資源割り当て動作は、チャネル状態及びその他の要因、例えば電力バジェット、の関数でもある。
【００８４】
アップリンクＰＨＹ／ＭＡＣモジュール２５３８は、データ情報、例えば、メッセージ、パケット、及び／又はフレームを、無線通信インタフェースモジュール２５０４を通じて、例えば、エンドノード２５００からアクセスノードに送信することに関連する物理（ＰＨＹ）層及びメディアアクセス制御（ＭＡＣ）層の処理を制御する。例えば、アップリンクＰＨＹ／ＭＡＣモジュール２５３８の動作は、データ情報、例えば、メッセージ、パケット、及び／又はフレーム、の送信を調整するための制御情報、例えば、信号又はメッセージ、を送信すること及び受信することの両方を含む。コンフィギュレーション情報２５３２は、アップリンクＰＨＹ／ＭＡＣモジュール２５３８の動作に影響を与えるコンフィギュレーション情報、例えば、パラメータ設定、例えば、送信のために用いられる周波数、帯域、チャネル、拡散符号又はホーピング符号（hoping code）、エンドノード２５００と関連づけられた識別子、割り当て要求チャネルの使用を規定する要求辞書等、を含むことができる。
【００８５】
アップリンクＬＬＣ（ＡＲＱ）モジュール２５４０は、無線通信インタフェースモジュール２５０４を通じて、例えば、エンドノード２５００からアクセスノードに、データ情報、例えば、メッセージ、パケット、及び／又はフレーム、を送信することに関連する論理リンク制御（ＬＬＣ）層処理を制御する。アップリンクＬＬＣ（ＡＲＱ）モジュール２５４０は、自動再送要求（ＡＲＱ）能力、例えば、失われたパケット又はフレームの再送信、と関連づけられた処理を含む。アップリンクＬＬＣ（ＡＲＱ）モジュール２５４０は、例えば、追加機能、例えば、型フィールドを通じてのマルチプロトコル多重化／多重分離又は検査合計フィールドを通じての誤り検出、を提供するために、ＬＬＣヘッダー及び／又はトレーラーをより高い層のメッセージ、例えば、パケット、に追加することに関連する処理をさらに含む。アップリンクＬＬＣ（ＡＲＱ）モジュール２５４０は、より高い層のメッセージ、例えば、パケット、のフラグメンテーションをさらに行い、アップリンクＰＨＹ／ＭＱＣモジュール２５４０によって送信される複数の小部分、例えば、フレーム、に分割することができる。コンフィギュレーション情報２５３２は、アップリンクＬＬＣ（ＡＲＱ）モジュール２５４０の動作に影響を与えるコンフィギュレーション情報、例えば、ＡＲＱウィンドーの大きさ、最大再送信数、廃棄（ｄｉｓｃａｒｄ）タイマー等、を含むことができる。
【００８６】
アップリンク待ち行列管理モジュール２５４２は、情報を維持し、無線通信インタフェースモジュール２５０４を通じて、例えば、エンドノード２５００からアクセスノードに送信されるデータ情報の保存に関連する処理を制御する。アップリンク待ち行列管理モジュール２５４２は、例えば、送信待ち状態のデータ情報の保存を制御し、送信待ちの状態のデータ情報に関する状態情報を、１つのトラフィックフローごとに維持し、例えば、各トラフィックフローと関連づけられたパケットは、別々の待ち行列内に保存することができる。例えば、アップリンク待ち行列管理モジュール２５２４は、様々な待ち行列管理技術及び／又は能力、例えば、ヘッドドロップ、テールドロップ、及び様々なアクティブ待ち行列管理（ＡＱＭ）メカニズム、例えば、ランダム早期検出（ＲＥＤ）、をサポートする。コンフィギュレーション情報２５３２は、アップリンク待ち行列管理モジュール２５４２の動作に影響を与えるコンフィギュレーション情報、例えば、１つ以上のトラフィックフローと関連づけられた待ち行列制限、ドロップ戦略、及び／又はＡＱＭしきい値、を含むことができる。
【００８７】
アップリンククラシファイアモジュール（ｃｌａｓｓｉｆｉｅｒ  ｍｏｄｕｌｅ）２５４４は、無線通信インタフェースモジュール２５０４を通じて、例えば、エンドノード２５００からアクセスノードに送信される前にデータ情報が特定のトラフィックフローに属するとして識別することに関連する処理を制御する。幾つかの実施形態においては、無線通信インタフェースモジュール２５０４の利用を通じて送信されるメッセージ、パケット、及び／又はフレームは、１つ以上のヘッダー及び／又はペイロードフィールドの検査に基づいてアップリンククラシファイアモジュール２５４４によって様々なトラフィックフローのうちの１つに属するとして分類される。アップリンククラシファイアモジュール２５４４による分類結果は、アップリンク待ち行列管理モジュール２５４２及びメモリ２５０８内のその他のモジュールによる分類されたデータ情報の処理に影響を与える可能性がある。例えば、これらの結果は、メッセージ、パケット、及び／又はフレームが保存に関して関連づけられる特定の待ち行列を決定すること及びスケジューリング等の後続する処理に対してさらに影響を与えることができる。コンフィギュレーション情報は、アップリンククラシファイアモジュール２５４４の動作に影響を与えるコンフィギュレーション情報、例えば、データ情報、例えば、メッセージ、パケット、及び／又はフレーム、を１つ以上のトラフィックフローに属するとして関連づけるために用いられる判定基準を規定する一組の１つ以上のクラシファイアフィルタルール、を含むことができる。
【００８８】
ダウンリンクＰＨＹ／ＭＡＣモジュール２５４６は、無線通信インタフェースモジュール２５０４を通じてデータ情報を受信することに関連するＰＨＹ層及びＭＡＣ層の処理を制御する。ダウンリンクＰＨＹ／ＭＡＣモジュール２５４６の動作は、データ情報の受信を調整するために制御情報を送信すること及び受信することの両方を含むことができる。コンフィギュレーション情報２５０４は、ダウンリンクＰＨＹ／ＭＡＣモジュール２５４６の動作に影響を与えるコンフィギュレーション情報、例えば、受信のために用いられる周波数、帯域、チャネル、拡散符号又はホーピング符号、エンドノード２５００と関連づけられた識別子等、を含むことができる。
【００８９】
ダウンリンクＬＬＣ（ＡＲＱ）モジュール２５４８は、無線通信インタフェースモジュール２５０４を通じてデータ情報を受信することに関連するＬＬＣ層処理を制御する。ダウンリンクＬＬＣ（ＡＲＱ）モジュール２５４８は、ＡＲＱ能力、例えば、失われたパケット又はフレームの再送信、と関連づけられた処理を含む。例えば、ダウンリンクＬＬＣ（ＡＲＱ）モジュール２５４８は、追加機能、例えば、型フィールドを通じてのマルチプロトコル多重化／多重分離又は検査合計フィールドを通じての誤り検出、を提供する、より高い層のメッセージをカプセル化するＬＬＣヘッダー及び／又はトレーラーに関連する処理をさらに含むことができる。ダウンリンクＬＬＣ（ＡＲＱ）モジュール２５４８は、ダウンリンクＰＨＹ／ＭＡＣモジュール２５４６によって受信されたフレームの再組み立てを行ってより高い層のメッセージにすることもできる。コンフィギュレーション情報２５３２は、ダウンリンクＬＬＣ（ＡＲＱ）モジュール２５４８の動作に影響を与えるコンフィギュレーション情報、例えば、パラメータ設定、例えば、ＡＲＱウィンドーの大きさ、最大再送信数、廃棄タイマー等、を含むことができ、幾つかの実施形態においては実際に含む。
【００９０】
図２６は、本発明により実装されたアクセスノード例２６００の詳細を示す。アクセスノード２６００は、図２４において描かれるアクセスノード２４１４乃至２４１８のうちのいずれか１つとして用いることができる装置の詳細な代表例である。図２６の実施形態において、アクセスノード２６００は、バス２６１０によってひとつに結合された、プロセッサ２６０２と、メモリ２６０４と、ネットワーク／インターネットワークインタフェースモジュール２６０６と、無線通信インタフェースモジュール２６０８と、を含む。従って、バス２６１０を通じて、アクセスノード２６００の様々な構成要素は、情報、信号及びデータを交換することができる。アクセスノード２６００の構成要素２６０２乃至２６１０は、ハウジング２６１２内に配置される。
【００９１】
ネットワーク／インターネットワークーインタフェースモジュール２６０６は、アクセスノード２６００の内部構成要素が外部デバイス及びネットワークノードに／から信号を送信及び受信することができるメカニズムを提供する。ネットワーク／インターネットワークインタフェースモジュール２６０６は、例えば、銅線又は光ファイバー線を通じて、ノード２６００をその他のネットワークノードに結合するために用いられる受信機モジュール２６１４と、送信機モジュール２６１６と、を含む。無線通信インタフェースモジュール２６０８は、アクセスノード２６００の内部構成要素が外部デバイス及びネットワークノード、例えば、エンドノード、に／から信号を送信及び受信することができる。無線通信インタフェースモジュール２６０８は、例えば、対応する受信アンテナ２６２０を有する受信機モジュール２６１８と、対応する送信アンテナ２６２４を有する送信機モジュール２６２２と、を含む。無線通信インタフェースモジュール２６０８は、例えば、無線通信チャネルを通じてアクセスノード２６００をその他のノードに結合させるために用いられる。
【００９２】
メモリ２６０４に含められている様々なモジュール、例えば、ルーチン、の制御下にあるプロセッサ２６０２は、様々なシグナリング及び処理を行うためにアクセスノード２６００の動作を制御する。メモリ２６０４内に含められているモジュールは、立ち上がり時に又はその他のモジュールによる呼び出しに応じて実行される。モジュールは、実行されたときにデータ、情報、及び信号を交換することができる。モジュールは、実行されたときにデータ及び情報を共有することもできる。図２６の実施形態においては、アクセスノード２６００のメモリ２６０４は、制御シグナリングモジュール２６２６と、トラフィック制御モジュール２６２８と、を含み、コンフィギュレーション情報２６３０及び様々な追加モジュール２６３２乃至２６５４をさらに含む。
【００９３】
制御シグナリングモジュール２６２６は、例えば、トラフィック制御モジュール２６２８、及びコンフィギュレーション情報２６３０及び含められている様々な追加モジュール２６３２乃至２６５４を含むアクセスノード２６００の様々な側面の動作及び／又はコンフィギュレーションを制御するための信号、例えば、メッセージ、を受信及び送信することに関連する処理を制御する。例えば、制御シグナリングモジュール２６２６は、アクセスノード２６００の動作に関連する状態情報、例えば、パラメータ、状態及び／又はその他の情報及び／又は制御シグナリングモジュール２６２６によってサポートされる１つ以上のシグナリングプロトコルを含むことができる。特に、制御シグナリングモジュール２６２６は、コンフィギュレーション情報、例えば、アクセスノード識別情報及び／又はパラメータ設定、及び、動作情報、例えば、現在の処理状態、未決メッセージトランザクションの状態等に関する情報等、を含むことができる。
【００９４】
トラフィック制御モジュール２６２８は、無線通信インタフェースモジュール２６０８を通じて、データ情報、例えば、メッセージ、パケット、及び／又はフレーム、を受信及び送信することに関連する処理を制御する。例えば、トラフィック制御モジュールは、コンフィギュレーション情報２６３０と、パケット及び／又はトラフィックフロー、例えば、関連づけられた一連のパケット、に関するサービス品質の様々な側面を制御する様々な追加モジュール２６３２乃至２６５４と、を含むことができる。幾つかの実施形態においては、トラフィック制御モジュール２６２８は、アクセスノード２６００、トラフィック制御モジュール２６２８、及び／又はその中に含められている様々な追加モジュール２６３２乃至２６５４のうちの１つ以上の動作に関連する状態情報、例えば、パラメータ、状態及び／又はその他の情報、を含む。コンフィギュレーション情報２６３０、例えば、パラメータ設定、は、トラフィック制御モジュール２６２８及び／又は含められている様々な追加モジュール２６３２乃至２６５４の動作を決定し、影響を与え及び／又は規定する。様々な追加モジュールは、幾つかの実施形態においては、トラフィック制御の特定の側面をサポートする上で必要に応じて特定の機能及び動作を行うために含められる。様々な実施形態においては、モジュールは、トラフィック制御の機能上の要求に依存して必要に応じて省略する及び／又は組み合わせることができる。トラフィック制御モジュール２６２８に含められる各追加モジュールに関する説明が続く。
【００９５】
受付制御モジュール２６３２は、資源の利用／利用可能性に関連する情報を維持し、特定のトラフィックフローのサービス品質要求をサポートするための十分な資源を利用可能であるかどうかを決定する。受付制御モジュール２６３２によって維持される資源利用可能性情報は、例えば、パケット及び／又はフレーム待ち行列容量、スケジューリング容量、及び１つ以上のトラフィックフローをサポートするために必要な処理及びメモリ容量を含む。アクセスノード２６００に含められている制御シグナリングモジュール２６２６及び／又はその他のモジュールは、新しい又は修正されたトラフィックフローをサポートする上で十分な資源が利用可能であるかどうかを決定するために受付制御モジュール２６３２に問い合わせることができ、ここで、受付制御決定は、特定のトラフィックフローのサービス品質要求及び／又は利用可能な資源の関数である。コンフィギュレーション情報２６３０は、受付制御モジュール２６３２の動作に影響を与えるコンフィギュレーション情報、例えば、パラメータ設定、例えば、追加の要求を拒否する前に割り当てることができる資源の割合を示す受付制御しきい値、を含むことができる。
【００９６】
アップリンクスケジューラモジュール２６３４は、無線インタフェースモジュール２６０８を通じて１つ以上のエンドノードからアクセスノードに送信されるデータ情報、例えば、メッセージ、パケット、及び／又はフレーム、に関する送信スケジューリング、例えば、順序及び／又はタイミング、及び送信資源、例えば、情報コーディングレート、送信時間スロット、及び／又は送信電力、の割り当て、に関連する処理を制御する。アップリンクスケジューラモジュール２６３４は、１つ以上のトラフィックフロー及び／又は１つ以上のエンドノードと関連づけられたサービス品質要求及び／又は制約の関数として送信をスケジューリングして送信資源を割り当てることができる。コンフィギュレーション情報２６３０は、アップリンクスケジューラモジュール２６３４の動作に影響を与えるコンフィギュレーション情報、例えば、１つ以上のトラフィックフロー及び／又はエンドノードと関連づけられた優先度、レート限度（ｂｏｕｎｄ）、レーテンシー限度、及び／又は重み共有等、を含むことができる。幾つかの実施形態においては、アップリンクスケジューラモジュール２６３４によって行われるスケジューリング及び／又は資源割り当て動作は、チャネル状態及びその他の要因、例えば、電力バジェット、の関数でもある。
【００９７】
ダウンリンクスケジューラモジュール２６３６は、無線インタフェースモジュール２６０８を通じてアクセスノード２６００から１つ以上のエンドノードに送信されるデータ情報、例えば、メッセージ、パケット、及び／又はフレーム、に関する送信スケジューリング、例えば、順序及び／又はタイミング、及び送信資源、例えば、情報コーディングレート、送信時間スロット、及び／又は送信電力、の割り当て、に関連する処理を制御する。ダウンリンクスケジューラモジュール２６３６は、１つ以上のトラフィックフロー及び／又は１つ以上のエンドノードと関連づけられたサービス品質要求及び／又は制約の関数として送信をスケジューリングして送信資源を割り当てることができる。コンフィギュレーション情報２６３０は、ダウンリンクスケジューラモジュール２６３６の動作に影響を与えるコンフィギュレーション情報、例えば、１つ以上のトラフィックフロー及び／又はエンドノードと関連づけられた優先度、レート限度、レーテンシー限度、及び／又は重み共有等、を含むことができる。幾つかの実施形態においては、ダウンリンクスケジューラモジュール２６３６によって行われるスケジューリング及び／又は資源割り当て動作は、チャネル状態及びその他の要因、例えば、電力バジェット、の関数でもある。
【００９８】
アップリンクトラフィックコンディショナモジュール２６３８は、無線インタフェースモジュール２６０８を通じて受信された、例えば、エンドノードからアクセスノード２６００へのデータ情報、例えば、メッセージ、パケット、及び／又はフレーム、に関するトラフィックコンディショニング、例えば、メータリング、マーキング、ポリシング等、に関連する処理を制御する。アップリンクトラフィックコンディショナモジュール２６３８は、１つ以上のトラフィックフロー及び／又は１つ以上のエンドノードと関連づけられたサービス品質要求及び／又は制約の関数として、トラフィックをコンディショニング、例えば、メータリング、マーキング及び／又はポリシング、することができる。コンフィギュレーション情報２６３０は、アップリンクトラフィックコンディショナモジュール２６３８の動作に影響を与えるコンフィギュレーション情報、例えば、１つ以上のトラフィックフロー及び／又はエンドノードと関連づけられたレート限度、及び／又はマーキング値、を含むことができる。
【００９９】
アップリンククラシファイアモジュール２６４０は、アップリンクトラフィックコンディショナモジュール２６３８による処理前に、無線インタフェースモジュール２６０８を通じて受信された、例えば、エンドノードからアクセスノード２６００へのデータ情報、例えば、メッセージ、パケット、及び／又はフレーム、が特定のトラフィックフローに属するとして識別することに関連する処理を制御する。幾つかの実施形態においては、無線通信インタフェースモジュール２６０８を通じて受信されたメッセージ、パケット、及び／又はフレームは、１つ以上のヘッダー及び／又はペイロードフィールドの検査に基づいてアップリンククラシファイアモジュール２６４０によって様々なトラフィックフローのうちの１つに属するとして分類される。アップリンククラシファイアモジュール２６４０による分類結果は、アップリンクトラフィックコンディショナモジュール２６３８による分類されたデータ情報、例えば、メッセージ、パケット、及び／又はフレーム、の処理に影響を与える可能性があり、例えば、前記結果は、メッセージ、パケット、及び／又はフレームが関連づけられることになる特定のデータ構造又はステートマシンを決定すること及びメータリング、マーキング、及び／又はポリシング等の後続する処理に対してさらに影響を与えることができる。コンフィギュレーション情報２６３０は、アップリンククラシファイアモジュール２６４０の動作に影響を与えるコンフィギュレーション情報、例えば、データ情報、例えば、メッセージ、パケット、及び／又はフレーム、を１つ以上のトラフィックフローに属するとして関連づけるために用いられる判定基準を規定する一組の１つ以上のクラシファイアフィルタルール、を含むことができる。
【０１００】
アップリンクＬＬＣ（ＡＲＱ）モジュール２６４２は、無線通信インタフェースモジュール２６０８を通じて、例えば、エンドノードからアクセスノード２６００へのデータ情報、例えば、パケット及び／又はフレーム、を受信することに関連するＬＬＣ層処理を制御する。アップリンクＬＬＣ（ＡＲＱ）モジュール２６４２は、ＡＲＱ能力、例えば、失われたパケット又はフレームの再送信、と関連づけられた処理を含む。幾つかの実施形態においては、アップリンクＬＬＣ（ＡＲＱ）モジュール２６４２は、例えば、追加機能、例えば、型フィールドを通じてのマルチプロトコル多重化／多重分離又は検査合計フィールドを通じての誤り検出、を提供するより高い層のメッセージ、例えば、パケット、をカプセル化するＬＬＣヘッダー及び／又はトレーラーに関連する処理をさらに含む。アップリンクＬＬＣ（ＡＲＱ）モジュール２６４２は、アップリンクＰＨＹ／ＭＡＣモジュール２６４４によって受信されたフレームの再組み立てを行い、より高い層のメッセージ、例えば、パケット、にすることもできる。コンフィギュレーション情報２６３０は、アップリンクＬＬＣ（ＡＲＱ）モジュール２６４２の動作に影響を与えるコンフィギュレーション情報、例えば、ＡＲＱウィンドーの大きさ、最大再送信数、廃棄（ｄｉｓｃａｒｄ）タイマー等、を含むことができる。
【０１０１】
アップリンクＰＨＹ／ＭＡＣモジュール２６４４は、無線通信インタフェースモジュール２６０８を通じて、例えば、エンドノードからアクセスノード２６００へのデータ情報、例えば、パケット及び／又はフレーム、を受信することに関連するＰＨＹ層及びＭＡＣ層の処理を制御する。幾つかの実施形態においては、アップリンクＰＨＹ／ＭＡＣモジュール２６４４の動作は、データ情報、例えば、メッセージ、パケット、又はフレーム、の受信を調整するための制御情報、例えば、信号又はメッセージ、を送信すること及び受信することの両方を含む。コンフィギュレーション情報２６３０は、アップリンクＰＨＹ／ＭＡＣモジュール２６４４の動作に影響を与えるコンフィギュレーション情報、例えば、受信のために用いられる周波数、帯域、チャネル、拡散符号又はホッピング符号、アクセスノード２６００と関連づけられた識別子等、を含むことができる。
【０１０２】
ダウンリンククラシファイアモジュール２６４６は、データ情報、例えば、メッセージ、パケット、及び／又はフレームが、無線通信インタフェースモジュール２６０８を通じて、例えば、アクセスノード２６００からエンドノードに送信される前に特定のトラフィックフローに属するとして識別することに関連する処理を制御する。幾つかの実施形態においては、無線通信インタフェースモジュール２６０８を通じて送信されるメッセージ、パケット、及び／又はフレームは、１つ以上のヘッダー及び／又はペイロードフィールドの検査に基づいてダウンリンククラシファイアモジュール２６４６によって様々なトラフィックフローのうちの１つに属するとして分類される。ダウンリンククラシファイアモジュール２６４６による分類結果は、ダウンリンク待ち行列管理モジュール３６５０及びその他のモジュール２６４８、２６５２、及び２６５４による分類されたデータ情報、例えば、メッセージ、パケット、及び／又はフレーム、の処理に影響を与える可能性があり、例えば、前記結果は、メッセージ、パケット、及び／又はフレームが保存に関して関連づけられることになる特定の待ち行列を決定すること及びスケジューリング等の後続する処理に対してさらに影響を与えることできる。コンフィギュレーション情報２６３０は、ダウンリンククラシファイアモジュール２６４６の動作に影響を与えるコンフィギュレーション情報、例えば、パラメータ設定、例えば、データ情報、例えば、メッセージ、パケット、及び／又はフレーム、を１つ以上のトラフィックフローに属するとして関連づけるために用いられる判定基準を規定する一組の１つ以上のクラシファイアフィルタルール、を含むことができる。
【０１０３】
ダウンリンクトラフィックコンディショナモジュール２６４８は、無線インタフェースモジュール２６０８を通じて、例えば、アクセスノード２６００からエンドノードに送信されるデータ情報、例えば、メッセージ、パケット、及び／又はフレーム、に関するトラフィックコンディショニング、例えば、メータリング、マーキング、ポリシング等、に関連する処理を制御する。ダウンリンクトラフィックコンディショナモジュール２６４８は、トラフィックを、１つ以上のトラフィックフロー及び／又は１つ以上のエンドノードと関連づけられたサービス品質要求及び／又は制約の関数として、コンディショニングする、例えば、メータリング、マーキング及び／又はポリシングすることができる。コンフィギュレーション情報２６３０は、ダウンリンクトラフィックコンディショナモジュール２６４８の動作に影響を与えるコンフィギュレーション情報、例えば、１つ以上のトラフィックフロー及び／又はエンドノードと関連づけられたレート限度、及び／又はマーキング値、を含むことができる。
【０１０４】
ダウンリンク待ち行列管理モジュール２６５０は、情報を維持し、無線通信インタフェースモジュール２６０８を通じて、例えば、アクセスノード２６００からエンドノードに送信されるデータ情報、例えば、メッセージ、パケット、及び／又はフレーム、の保存に関連する処理を制御する。ダウンリンク待ち行列管理モジュールは、送信待ち状態のデータ情報の保存を制御し、送信待ち状態のデータ情報に関する状態情報を、１つのトラフィックフローごとに維持し、例えば、各トラフィックフローと関連づけられたパケットは、別々の待ち行列内に保存することができる。幾つかの実施形態においては、ダウンリンク待ち行列管理モジュール２６５０は、様々な待ち行列管理技術及び／又は能力、例えば、ヘッドドロップ、テールドロップ、及びＲＥＤ等の様々なＡＱＭメカニズム、をサポートする。コンフィギュレーション情報２６３０は、ダウンリンク待ち行列管理モジュール２６５０の動作に影響を与えるコンフィギュレーション情報、例えば、１つ以上のトラフィックフローと関連づけられた待ち行列制限、ドロップ戦略、及び／又はＡＱＭしきい値、を含むことができる。
【０１０５】
ダウンリンクＬＬＣ（ＡＲＱ）モジュール２６５２は、データ情報、例えば、メッセージ、パケット、及び／又はフレーム、を、無線通信インタフェースモジュール２６０８を通じて、例えば、アクセスノード２６００からエンドノードに送信することに関連するＬＬＣ層処理を制御する。ダウンリンクＬＬＣ（ＡＲＱ）モジュール２６５２は、ＡＲＱ能力、例えば、失われたパケット又はフレームの再送信、と関連づけられた処理を含む。幾つかの実施形態においては、ダウンリンクＬＬＣ（ＡＲＱ）モジュール２６５２は、追加機能、例えば、型フィールドを通じてのマルチプロトコル多重化／多重分離又は検査合計フィールドを通じての誤り検出、を提供するためにＬＬＣヘッダー及び／又はトレーラーをより高い層のメッセージ、例えば、パケット、に追加することに関連する処理をさらに含む。ダウンリンクＬＬＣ（ＡＲＱ）モジュール２６５２は、より高い層のメッセージ、例えば、パケット、のフラグメンテーションを行い、ダウンリンクＰＨＹ／ＭＱＣモジュール２６５４によって送信される複数の小部分、例えば、フレーム、に分割することもできる。コンフィギュレーション情報２６３０は、ダウンリンクＬＬＣ（ＡＲＱ）モジュール２６５２の動作に影響を与えるコンフィギュレーション情報、例えば、ＡＲＱウィンドーの大きさ、最大再送信数、廃棄タイマー等、を含むことができる。
【０１０６】
ダウンリンクＰＨＹ／ＭＡＣモジュール２６５４は、データ情報、例えば、メッセージ、パケット、及び／又はフレーム、を、無線通信インタフェースモジュール２６０８を通じて、例えば、アクセスノード２６００からエンドノードに送信することに関連するＰＨＹ層及びＭＡＣ層の処理を制御する。幾つかの実施形態においては、ダウンリンクＰＨＹ／ＭＡＣモジュール２６５４の動作は、データ情報、例えば、メッセージ、パケット、又はフレーム、の送信を調整するために制御情報、例えば、信号又はメッセージ、を送信すること及び受信することの両方を含む。コンフィギュレーション情報２６３０は、ダウンリンクＰＨＹ／ＭＡＣモジュール２６５４の動作に影響を与えるコンフィギュレーション情報、例えば、送信のために用いられる周波数、帯域、チャネル、拡散符号又はホーピング符号、アクセスノード２６００と関連づけられた識別子等、を含むことができる。
【０１０７】
図２７は、エンドノード例２５００及びアクセスノード例２６００に含められている様々なモジュール間でのシグナリング及びトラフィックフロー例を示す。図２７のエンドノード２５００及び図２７のアクセスノード２６００は、図２５のエンドノード２５００及び図２６のアクセスノード２６００のそれぞれの単純化された代表例である。図２７の例は、データ情報、例えば、一連のメッセージ、パケット、又はフレームを具備するトラフィックフロー、を送信及び受信するアプリケーションモジュール２５２８を示す。図２４のシステム例の状況において、図２７のエンドノード２５００は、図２４に描かれたエンドノード２４０２乃至２４１２のうちのいずれか１つであることができ、図２７のエンドノード２５００に含められているアプリケーションモジュール２５２８は、システム内の他のノード、例えば、図２４において描かれている他のエンドノード２４０２乃至２４１２又はアプリケーションサーバーノード２４２６とデータ情報を交換することができる。図２７及び後続する説明において、図２７のエンドノード２５００がデータ情報を交換中のノードは、対応ノードと呼ばれる。
【０１０８】
エンドノード２５００内のアプリケーションモジュール２５２８から対応ノードに送信されるデータ情報、例えば、一連のメッセージ、パケット、又はフレームを具備するトラフィックフロー、は、一連の矢印２７０２乃至２７０８によって示され、処理のためにエンドノード２５００に含められている一連のモジュール２５３８乃至２５４４内を進み、その後に、データ情報は、例えば、無線通信インタフェースモジュール２５０４を通じてエンドノード２５００からアクセスノード２６００に送信される。例えば、無線通信インタフェースモジュール２６０８を通じてアクセスノード２６００によって受信後、データ情報、例えば、エンドノード２５００内のアプリケーションモジュール２５２８から対応ノードに送信された一連のメッセージ、パケット、又はフレームを具備するトラフィックフローは、一連の矢印２７１０乃至２７１８によって示され、アクセスノード２６００から対応ノードの方に転送される、例えば、ルーティング情報に従い、ネットワーク／インターネットワークインタフェースモジュール２６０６を通じてアクセスノードに接続された中間ノードに向けられる前に、処理のためにアクセスノード２６００に含められている一連のモジュール２６３８乃至２６４４内を進む。
【０１０９】
対応ノードからエンドノード２５２８内のアプリケーションモジュール２５２８に送信されたデータ情報、例えば、一連のメッセージ、パケット、又はフレームを具備するトラフィックフロー、は、一連の矢印２７２０乃至２７２８によって示され、例えば、ネットワーク／インターネットワークインタフェースモジュール２６０６を通じてアクセスノード２６００によって受信され、次に、処理のためにアクセスノード２６００に含められている一連のモジュール２６４６乃至２６５４内を進み、その後に、データ情報は、例えば、無線通信インタフェースモジュール２６０８を通じてアクセスノード２６００からエンドノード２５００に送信される。例えば、無線通信インタフェースモジュール２５０４を通じてエンドノード２５００によって受信後、対応ノードからエンドノード２５００内のアプリケーションモジュール２５２８に送信されたデータ情報、例えば、一連のメッセージ、パケット、又はフレームを具備するトラフィックフロー、は、一連の矢印２７３０乃至２７３４によって示され、エンドノード２５００内のアプリケーションモジュール２５２８に引き渡される前に、処理のためにエンドノード２５００に含められている一連のモジュール２５４６及び２５４８内を進む。
【０１１０】
図２７は、データ情報、例えば、トラフィックフロー、の交換に加えて、制御情報、例えば、シグナリングフロー及び／又は通信インタフェース、の交換も描く。特に、図２７の例は、アクセスノード２６００に含められている制御シグナリングモジュール２６２６とトラフィック制御モジュール２６２８との間における制御情報の交換を描く。同様に、図２７の例は、エンドノード２５００に含められている制御シグナリングモジュール２５２６とトラフィック制御モジュール２５３０との間における制御情報の交換を描く。アクセスノード２６００及びエンドノード２５００の両方において、示されるようなモジュール間での制御情報の交換は、アクセス／エンドノード２６００／２５００内の各々の制御シグナリングモジュール２６２６／２５２６が、エンドノード２５００内のアプリケーションモジュール２５２８への／からのデータ情報、例えば、トラフィックフロー、に関する適切なサービス品質処理を提供する上で必要に応じて、各々のトラフィック制御モジュール２６２８／２５３０内に含められている様々なモジュールのコンフィギュレーション及び／又は動作に影響を与える、例えば、設定する、修正する、及び／又はモニタリングするのを可能する。
【０１１１】
ａ）他のノードとアクセスノード２６００内の制御シグナリングモジュール２６２６との間、ｂ）エンドノード２５００内のアプリケーションモジュール２５２８とエンドノード２５００内の制御シグナリングモジュール２５２６との間、及びｃ）アクセスノード２６００内の各々の制御シグナリングモジュール２６２６／２５２６とエンドノード２５００との間における制御情報、例えば、シグナリングフロー及び／又は通信インタフェース、の交換も示される。制御情報、例えば、シグナリングフロー及び／又は通信インタフェース、のこれらの交換は、アクセスノード２６００及びエンドノード２５００の両方におけるトラフィック制御モジュール２６２８／２５３０のコンフィギュレーション及び／又は動作が、ａ）１つ以上の追加ノード、例えば、アクセス制御ノード２４２０及び／又はアプリケーションサーバーノード２４２６、ｂ）エンドノード２５００内のアプリケーションモジュール２５２８、又はｃ）１つ以上の追加ノードとエンドノード２５００内のアプリケーションモジュール２５２８の組合せによって影響を受けることを可能にする。本発明の様々な実施形態は、描かれている制御情報交換の全部又は部分組のみを必要に応じてサポートすることができ、実際にサポートする。
【０１１２】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識するであろう。従って、説明される実施形態は、添付された請求項の精神又は適用範囲内にあるあらゆる変更、修正及び変形を包含することが意図されている。さらに、発明を実施するための最良の形態又は請求項の範囲において「含む」という表現が用いられている限りにおいて、該表現は、「具備する」いう表現が請求項において移行語として採用されたときの解釈と同様の包含性を有することが意図されている。
【図面の簡単な説明】
【０１１３】
【図１】加入者に関する要求されたサービス品質処理の提供を容易にするシステムの高位ブロック図である。
【図２】加入者に関する要求された複数のサービス処理の提供を容易にし、少なくとも１つの要求は加入者側デバイスから発生するシステムのブロック図である。
【図３】複数のアプリケーションサーバーによって生成された複数の要求に基づいた加入者に関するサービス品質処理の提供を示した、システムのブロック図である。
【図４】要求されたサービス品質処理を加入者に提供するための方法を示す代表的流れ図である。
【図５】異なるエンティティからの複数の要求に基づいてサービス品質処理を受信するための方法を示す代表的流れ図である。
【図６】加入者に関する要求されたサービス品質処理の提供を容易にするシステムのブロック図である。
【図７】加入者に関するサービス品質処理の受信を容易にするシステムのブロック図である。
【図８】パケット交換環境内におけるルーティング及びアクセスノードへのシグナリングを示すために提供されるシステムのブロック図である。
【図９】パケット交換無線通信環境における移動性管理機能を示すために利用されるシステムのブロック図である。
【図１０】論理リンク制御（ＬＬＣ）フレーム例を示した図である。
【図１１】受信されたデータパケットをＬＬＣフレーム内にカプセル化するための方法を示す代表的流れ図である。
【図１２】ユニキャストデータ送信を行うための方法を示す代表的流れ図である。
【図１３】データパケットのインターセプトを行うための方法を示す代表的流れ図である。
【図１４】ワンホップマルチキャスティングを行うための方法を示す代表的流れ図である。
【図１５】パケット交換無線通信ネットワークにおけるデータパケットのルーティング及びアクセスノードへのシグナリングを容易にするシステムのブロック図である。
【図１６】パケット交換無線通信環境におけるデータパケットのルーティングを容易にするシステムのブロック図である。
【図１７】無線通信環境における移動メッセージの利用を示すために本明細書において提供されるブロック図である。
【図１８】移動メッセージを生成し、該移動メッセージを資源要求者に提供するための方法を示す代表的流れ図である。
【図１９】移動メッセージを生成し、該移動メッセージを資源要求者に提供するための方法を示す代表的流れ図である。
【図２０】適切なアタッチメントポイントへの資源要求の提供を示す代表的流れ図である。
【図２１】移動メッセージの生成及び資源要求者への提供を容易にするシステムのブロック図である。
【図２２】適切なアタッチメントポイントへの資源要求の提供を容易にするシステムのブロック図である。
【図２３】通信装置を示した図である。
【図２４】ネットワーク例を示した図である。
【図２５】エンドノード例を示した図である。
【図２６】アクセスノード例を示した図である。
【図２７】アクセスノード例と通信中のエンドノード例を示した図である。
【図１】
2009509468.tif 000004
【図２】
2009509468.tif 000005
【図３】
2009509468.tif 000006
【図４】
2009509468.tif 000007
【図５】
2009509468.tif 000008
【図６】
2009509468.tif 000009
【図７】
2009509468.tif 000010
【図８】
2009509468.tif 000011
【図９】
2009509468.tif 000012
【図１０】
2009509468.tif 000013
【図１１】
2009509468.tif 000014
【図１２】
2009509468.tif 000015
【図１３】
2009509468.tif 000016
【図１４】
2009509468.tif 000017
【図１５】
2009509468.tif 000018
【図１６】
2009509468.tif 000019
【図１７】
2009509468.tif 000020
【図１８】
2009509468.tif 000021
【図１９】
2009509468.tif 000022
【図２０】
2009509468.tif 000023
【図２１】
2009509468.tif 000024
【図２２】
2009509468.tif 000025
【図２３】
2009509468.tif 000026
【図２４】
2009509468.tif 000027
【図２５】
2009509468.tif 000028
【図２６】
2009509468.tif 000029
【図２７】
2009509468.tif 000030
【国際調査報告】
2009509468.tif 000031
2009509468.tif 000032
2009509468.tif 000033